(57)【特許請求の範囲】
【請求項１】
主記録媒体が収納されるとともに該主記録媒体に対して情報信号の記録及び／又は再生を行う本体側記録再生部と、補助記録媒体が収納された補助記録媒体ユニットが接続される第１の本体側端子部及び該本体側端子部と同一の信号線より分岐する第２の本体側端子部が設けられた装着部とを有する装置本体と、
補助記録媒体が収納されるとともに該補助記録媒体に対して情報信号の記録及び／又は再生を行うユニット側記録再生部と、上記第１の本体側端子部に接続されるユニット側端子部と、上記ユニット側記録再生部の操作を行う操作部とを有し、上記装着部に着脱自在とされた補助記録媒体ユニットとを備え、
上記装着部は、上記補助記録媒体ユニットが装着されることにより、上記第２の本体側端子部が閉塞されることを特徴とする撮像装置。
【請求項２】
上記装着部は、像面側と反対側の上記装置本体の背面に設けられていることを特徴とする請求項１記載の撮像装置。
【請求項３】
上記第１の本体側端子部は、上記補助記録媒体ユニットに電源及び／又は情報信号を伝送する通信端子であり、上記第２の本体側端子部は通信規格に基づいた周辺機器との接続端子であることを特徴とする請求項１記載の撮像装置。
【請求項４】
上記補助記録媒体は、補助記録媒体ユニット本体から着脱可能なメモリーカードであることを特徴とする請求項１記載の撮像装置。
【請求項５】
上記補助記録媒体ユニットは、上記装置本体の背面側から該装置本体内に装着されたバッテリパックを覆うように装着されることを特徴とする請求項２記載の撮像装置。
【請求項６】
上記ユニット側端子部の近傍には、該ユニット側端子部が上記第１の本体側端子部以外の端子部に装着されることを防止する誤装着防止片が凸設され、
上記装着部には、上記誤装着防止片が挿入される挿入部が形成されていることを特徴とする請求項１記載の撮像装置。
【請求項７】
主記録媒体が収納されるとともに該主記録媒体に対して情報信号の記録及び／又は再生を行う本体側記録再生部と、補助記録媒体が収納されたユニット本体のユニット側端子部が接続される第１の本体側端子部及び該第１の本体側端子部と同一の信号線より分岐する第２の本体側端子部が設けられた装着部とを有する撮像装置本体の上記装着部に接続される補助記録媒体ユニットにおいて、
補助記録媒体が収納されるとともに該補助主記録媒体に対して情報信号の記録及び／又は再生を行うユニット側記録再生部と、上記第１の本体側端子部に接続されるユニット側端子部と、上記記録再生部の操作を行う操作部とを有し、上記装着部に着脱自在とされたユニット本体を備え、
上記ユニット本体が上記装着部に装着されることにより、上記第２の本体側端子部を閉塞することを特徴とする補助記録媒体ユニット。
【請求項８】
像面側と反対側の上記撮像装置本体の背面に形成された上記装着部に装着されることを特徴とする請求項７記載の補助記録媒体ユニット。
【請求項９】
上記ユニット側端子部が上記第１の本体側端子部に接続されることにより駆動電源が供給され、
上記装着部に装着されることにより、通信規格に基づいた周辺機器との接続端子である上記第２の本体側端子部を閉塞することを特徴とする請求項７記載の補助記録媒体ユニット。
【請求項１０】
上記補助記録媒体は、補助記録媒体ユニット本体から着脱可能なメモリーカードであることを特徴とする請求項７記載の補助記録媒体ユニット。
【請求項１１】
アダプタを介してバッテリと連結されることにより、上記補助記録媒体に記録された情報信号の編集が可能となることを特徴とする請求項７記載の補助記録媒体ユニット。
【請求項１２】
上記ユニット側端子部の近傍には、該ユニット側端子部が上記第１の本体側端子部以外の端子部に装着されることを防止する誤装着防止片が凸設されていることを特徴とする請求項７記載の補助記録媒体ユニット。
【発明の詳細な説明】
【技術分野】
【０００１】
本発明は、主記録媒体と補助記録媒体を用いる撮像装置に関し、特に補助記録媒体が収納される補助記録媒体ユニットが撮像装置本体に着脱自在に装着される撮像装置及び補助記録媒体ユニットに関する。
【背景技術】
【０００２】
デジタルカメラやビデオカメラなどの撮像装置には、多くの場合、補助光を発光するためのフラッシュライトや、音声を収録するためのマイクなどのアクセサリーを装着するためのアクセサリーシューが設けられている。このような従来の撮像装置のアクセサリーシューは、平面状の装着面にアクセサリーを接続させる保持部と、装着面に設けられアクセサリーに対して電源供給あるいは信号授受用の端子部とを備えている。また、撮像装置に取り付けられるアクセサリーには、アクセサリーシューに装着されるコネクタが設けられ、該コネクタはアクセサリーシューの保持部に装着される取付部と、該取付部に設けられた電源用または信号授受用の接続部とを備えている。
【０００３】
そして、コネクタのアクセサリーシューへの装着は、コネクタの取付部をアクセサリーシューの装着面に当てつけた状態で該装着面に沿って直線的にスライドさせ取付部をアクセサリーシューの保持部に係合させることでなされている。そして、取付部が保持部に保持された状態でアクセサリーの接続部がアクセサリーシューの端子部に電気的に接続されるように構成されている（例えば特許文献１、特許文献２参照）。
【０００４】
ところで、業務用のカムコーダや、アマチュア上級者向けのハイエンドモデルのカムコーダでは、カムコーダ本体に収納されたＤＶテープやＤＶＤ、ＢＤ等の光ディスクを主記録媒体として用いる他に、補助記録媒体が収納された補助記録媒体ユニットが装置本体に着脱可能に装着され、主記録媒体への記録ミスや記録容量オーバーなどの事態に備えるものが提案されている。この補助記録媒体ユニットは、記録媒体として例えばメモリカードが用いられ、カムコーダに装着されることにより、カムコーダ本体の電力が供給されて駆動される。かかる補助記録媒体ユニットを用いることにより、装置本体から外した後、編集装置に接続することで、カムコーダから独立して記録データの編集を行うこともできるため、この補助記録媒体ユニットのみを編集に回すことで撮影と編集を平行して行うこともできる。
【０００５】
かかるカムコーダは、カムコーダ本体側の端子部に補助記録媒体ユニットに設けられた接続部が接続されることにより、駆動電源を供給し、また情報信号を伝送する。しかし、情報信号や駆動電源を供給する伝送路からは、補助記録媒体ユニットと接続される端子部以外にも、例えばＩＥＥＥ１３９４規格に基づいた通信端子が分岐して設けられることもあり、かかる接続端子と補助記録媒体ユニット用の端子部とが同時に使用されると、同一伝送路に複数の外部機器が接続されることとなり、動作の信頼性が損なわれる。
【０００６】
【特許文献１】特許第３５２８８４５号公報
【特許文献２】特開２００７−６２８２号公報
【発明の開示】
【発明が解決しようとする課題】
【０００７】
本発明は、上述した課題を解決するものであり、同一の伝送路より分岐した外部機器との通信端子を複数備えた撮像装置において、同時に複数の外部機器が当該複数の通信端子に接続されることを防止することができる撮像装置及び補助記録媒体ユニットを提供することを目的とする。
【課題を解決するための手段】
【０００８】
上述した課題を解決するために、本発明に係る撮像装置は、主記録媒体が収納されるとともに該主記録媒体に対して情報信号の記録及び／又は再生を行う本体側記録再生部と、補助記録媒体が収納された補助記録媒体ユニットが接続される第１の本体側端子部及び該本体側端子部と同一の信号線より分岐する第２の本体側端子部が設けられた装着部とを有する装置本体と、補助記録媒体が収納されるとともに該補助記録媒体に対して情報信号の記録及び／又は再生を行うユニット側記録再生部と、上記第１の本体側端子部に接続されるユニット側端子部と、上記ユニット側記録再生部の操作を行う操作部とを有し、上記装着部に着脱自在とされた補助記録媒体ユニットとを備え、上記装着部は、上記補助記録媒体ユニットが装着されることにより、上記第２の本体側端子部が閉塞されることを特徴とするものである。
【０００９】
また、本発明に係る補助記録媒体ユニットは、主記録媒体が収納されるとともに該主記録媒体に対して情報信号の記録及び／又は再生を行う本体側記録再生部と、補助記録媒体が収納されたユニット本体のユニット側端子部が接続される第１の本体側端子部及び該第１の本体側端子部と同一の信号線より分岐する第２の本体側端子部が設けられた装着部とを有する撮像装置本体の上記装着部に接続される補助記録媒体ユニットにおいて、補助記録媒体が収納されるとともに該補助主記録媒体に対して情報信号の記録及び／又は再生を行うユニット側記録再生部と、上記第１の本体側端子部に接続されるユニット側端子部と、上記記録再生部の操作を行う操作部とを有し、上記装着部に着脱自在とされたユニット本体を備え、上記ユニット本体が上記装着部に装着されることにより、上記第２の本体側端子部を閉塞することを特徴とするものである。
【発明の効果】
【００１０】
本発明に係る撮像装置及び補助記録媒体ユニットによれば、第１の本体側端子部と第２の本体側端子部とを同時に他の外部機器に接続することを禁止する構成となっている。したがって、同一の伝送路より分岐している第１の本体側端子部と第２の本体側端子部とに、同時に異なる周辺機器が接続されることが防止でき、通信の信頼性を維持することができる。
【発明を実施するための最良の形態】
【００１１】
以下、本発明が適用された撮像装置及び補助記録媒体ユニットについて、図面を参照しながら詳細に説明する。
【００１２】
本発明が適用された撮像装置１は、装置本体２と、撮像装置本体２から着脱可能とされ、撮像レンズが搭載されたレンズ鏡筒３を備えた撮像装置であり、撮影者によってレンズ鏡筒３に設けられたグリップ部が把持されることにより片手で保持されるいわゆるハンディタイプの撮像装置である。この撮像装置１は、従来のレンズ鏡筒交換型の撮像装置において採用されていた撮影者の肩に載せて保持される肩載せタイプの撮像装置に比して大幅に小型化、軽量化が図られている。
【００１３】
また、撮像装置１は、レンズ鏡筒３が着脱可能とされるとともに、交換レンズとして倍率等の異なる複数種類のレンズ鏡筒３が用意され、必要に応じて最適なレンズ鏡筒３を装着して用いることができる。また、レンズ鏡筒３は、後述するように、グリップ部が形成され、このグリップ部ごと装置本体から着脱される。
【００１４】
図１に示すハンディタイプの撮像装置１及び図３７に示す肩載せタイプの撮像装置２００は、いずれも業務用、あるいはアマチュア上級者向けのハイエンドモデルとして提供され、ハイビジョン撮影が可能とされている。かかる撮像装置１，２００は、装置本体内に着脱される主記録媒体として、ＨＤＶ記録が可能なＤＶカセット等のテープ状記録媒体を用いたデジタルビデオテープが用いられ、撮像レンズより取り込んだ動画や静止画等の画像をＣＭＯＳやＣＣＤ等の固体撮像素子で電気信号に変換するとともに、音声を電気信号に変換した後、テープカートリッジに記録する。また撮像装置１，２００は、電気信号に変換した画像を液晶ディスプレイ等の表示装置に表示させる。
【００１５】
なお、撮像装置１，２００の主記録媒体としては、ＤＶカセット以外の磁気テープや、ＣＤ、ＤＶＤ、ＢＤ等の光ディスク、光磁気ディスク、ハードディスク等の磁気ディスクといったディスク状記録媒体、あるいは半導体メモリ等の記録媒体を用いることもできる。さらに、後述するように、撮像装置１，２００は、主記録媒体とは別に、補助記録媒体としてメモリカードを収納した補助記録媒体ユニットが着脱自在に装着される。
【００１６】
以下、ハンディタイプの撮像装置１についてその詳細を説明した後、肩載せタイプの撮像装置２００についてその詳細を説明する。
【００１７】
まず、撮像装置１は、図１〜図３に示すように、略矩形状の装置本体２と、撮像レンズが配設され、装置本体２に対して着脱可能とされたレンズ鏡筒３とを備える。また、撮像装置１は、図４及び図５に示すように、駆動電源となるリチウムイオン二次電池等のバッテリパック４と、装置本体２内に装着される主記録媒体以外に補助記録媒体が収納された補助記録媒体ユニット５とが装着される。また装置本体２には、外部アクセサリーとして内蔵マイクよりも指向性に優れた外部マイク６と、他のアクセサリーが装着されるアクセサリーシューが設けられたシューアダプタ７とが装着可能とされている。また、レンズ鏡筒３にはレンズフード９が装着可能とされている。
【００１８】
装置本体２の前面２ａには、レンズ鏡筒３が装着されるレンズマウント１０が形成されている。レンズマウント１０は、レンズ鏡筒３の背面３ｂに形成されたボディマウント４１と係合されるマウントリング１１を有する。図６に示すように、マウントリング１１は、内周面にボディマウント４１の外周部と係合される係合部１２が形成され、操作レバー１３が回転操作されることによりボディマウント４１との係脱操作が行われる。
【００１９】
なお、レンズマウント１０の近傍には、レンズマウント１０とレンズ鏡筒３との係合が緩むことを防止する予圧部材１４が形成されている。予圧部材１４は、図６及び図７に示すように、略円盤状の本体部１６の一部から延設された操作片１６ａと、本体部１６の外周に設けられた平坦部に取り付けられレンズ鏡筒３の外周面に当接される弾性部材１７とを備える。本体部１６は、装置本体２の前面２ａに回動可能に取り付けられ、操作片１６ａがユーザによって操作されることにより回動される。この本体部１６に取り付けられた弾性部材１７は、略円弧状に形成され、その回動軌跡上にレンズマウント１０に装着されたレンズ鏡筒３の外周面が位置される。
【００２０】
かかる予圧部材１４は、レンズ鏡筒３がレンズマウント１０に装着される前においては、弾性部材１７がレンズ鏡筒３の装着位置より退避した位置に回動されている。そして、予圧部材１４は、レンズ鏡筒３が装着されると、ユーザによって操作片１６ａが回動され、弾性部材１７がレンズ鏡筒３の外周面に押圧される。これにより予圧部材１４は、レンズ鏡筒３とレンズマウント１０との係合が弛緩することを防止することができる。
【００２１】
また、装置本体２の右側面２ｂには、図２に示すように、撮像装置１の各種操作を行う操作部１５が設けられている。
【００２２】
装置本体２の左側面２ｃには、図１、図３に示すように、レンズ鏡筒３より取り込んだ映像を記録し、また再生を行う記録再生部２０が形成されている。また装置本体２の左側面２ｃは、レンズ鏡筒３が装置本体２に装着されることにより、レンズ鏡筒３に設けられたグリップ部４２が延在される。
【００２３】
記録再生部２０は、撮像装置１の主記録媒体となるミニＤＶカセット等のテープカートリッジが装着され、駆動するデッキ部と、テープカートリッジに対して情報信号の記録及び再生を行うヘッド部とを有する。この記録再生部２０は、装置本体２の左側面２ｃに膨出形成されると共に、装置本体２の背面２ｄ側から前面２ａ側にかけて左側面２ｃ側へ傾斜する傾斜面２０ａが形成されている。そして記録再生部２０は、レンズ鏡筒３が装置本体２に装着されることにより、装置本体２の左側面２ｃに延在するグリップ部４２と近接されることとなる。このとき、記録再生部２０は、装置本体２の前面２ａ側が左側面２ｃに向かって傾斜する傾斜面２０ａが設けられていることから、グリップ部４２を把持する撮影者の手指と干渉することがなく、撮影者がスムーズなグリップ動作及び撮影操作を行うことができる。
【００２４】
かかる記録再生部２０は、装置本体２の外筐を構成する蓋体２１が、開放ボタン２１ａをスライド操作されることにより側方に回動されるとデッキ部が外方に臨まされ、装置本体２の背面２ｄ側よりテープカートリッジの挿脱が行われる。またデッキ部に装着されたテープカートリッジは、図３に示すように、傾斜面２０ａと同様に、装置本体２の前面２ａ側に向かって左側面２ｃ側に傾斜されるようにして保持される。
【００２５】
装置本体２の背面２ｄには、撮像装置１の駆動源となるバッテリパック４が収納されるバッテリ収納部２２と、後述する補助記録媒体ユニット５が装着される装着部２３が形成されている。バッテリ収納部２２及び装着部２３は、装置本体２の背面２ｄより前面２ａ側に向かって連続して形成され、バッテリパック４が収納された後に、補助記録媒体ユニット５がバッテリパック４を背面２ｄ側から覆うようにして装着される。
【００２６】
かかるバッテリ収納部２２は、装置本体２が背面２ｄに設けられた開口部２５より前面２ａ側に向かって収納空間が形成されてなる。図５に示すように、バッテリ収納部２２の内側面には、バッテリパック４の外周面に形成された係合凹部２８が係合される係合凸部２６が形成されており、バッテリパック４を装着する際には、バッテリパック４を開口部２５より前面２ａ側に挿入し、下面側にスライドさせることにより係合凹部２８が係合凸部２６に係合する。またバッテリ収納部２２の下面部には、図示しない本体側端子部が形成されており、バッテリパック４が装着されることによりバッテリ側端子部と接続される。
【００２７】
なお、開口部２５は、上面側に、バッテリ収納部２２内にかけてユーザの指が挿入可能な挿入部２７が形成され、これにより、ユーザがバッテリパック４を摘んでバッテリ収納部２２の奥まで挿入、スライドすることが可能とされている。図３に示すように、バッテリパック４は、装置本体２の奥に装着されることにより、より装置本体２の前面２ａ側に装着され、また記録再生部２０と隣り合って形成される。
【００２８】
ここで、バッテリ収納部２２内に収納されるバッテリパック４は、リチウムイオン二次電池のセルが複数収納された上部ケース４ａと、保護回路と接続されると共にセルの正負各電極が接続された電極端子、及び残量や容量等の各種情報を通信する情報端子を備えたバッテリ端子部が外方に臨まされた下部ケース４ｂとが結合されてなり、下部ケース４ｂには、バッテリ収納部２２内に形成された係合凸部２６に係合する係合凹部２８が形成されている。
【００２９】
また、バッテリパック４は、セルが多く収納された大容量のＬサイズバッテリや、セルの数が少なく小型、軽量のＳサイズバッテリが用意され、いずれもバッテリ収納部２２に収納可能とされ、用途に応じて使い分けられる。
【００３０】
装置本体２の背面２ｄに形成された装着部２３については、補助記録媒体ユニット５とともに、後に詳述する。
【００３１】
装置本体２の上面２ｅには、取っ手部３０が形成されている。取っ手部３０は、装置本体２の上面２ｅの幅方向の略中心に、前後方向に亘って形成され、撮影や搬送時にユーザに握られることによりバランスよく装置本体２を持つことができる。図２に示すように、取っ手部３０は、装置本体２の前面２ａ側において前方に傾斜した前脚部３０ａと、装置本体２の背面側に設けられた後脚部３０ｂと、前脚部３０ａと後脚部３０ｂとを連結する把持部３０ｃとから構成されている。把持部３０ｃには、この把持部３０ｃを把持した状態でも操作可能な録画ボタンやズームレバーが設けられると共に、三脚や各種アクセサリーを取付可能な取付孔３０ｄが設けられている。
【００３２】
把持部３０ｃの前方には、操作盤を備えた台座部３１が形成され、この台座部３１上にはレンズ鏡筒３より取り込まれた映像を表示する液晶表示パネル３２が回動自在に設けられている。液晶表示パネル３２は、台座部３１の端部に設けられたヒンジ機構によって支持され、表示面を台座部３１の操作盤と対峙する閉塞位置と、表示面を外方に向けて操作盤を露出させる表示位置との間を回動可能とされている。また液晶表示パネル３２は、表示位置において、表示面を装置本体２の上方から前方、下方、後方と任意の方向へ向けることができ、あらゆる撮影体勢に対応できるとともに、被撮影者にも映像を視認させることもできる。
【００３３】
台座部３１の前面には、図４に示すように、シューアダプタ７が取り付けられるシュー取付部３３が形成されている。また台座部３１の装置本体２の左側面２ｃ側には、外部マイク６が装着されるマイクホルダ３４が張り出し形成されている。このシュー取付部３３及びマイクホルダ３４については、シューアダプタ７、外部マイク６とともに、後に詳述する。
【００３４】
把持部３０ｃの後方には、レンズ鏡筒３より取り込んだ映像を視認するファインダー部３５が設けられている。ファインダー部３５は、装置本体２の光軸方向と略平行に背面２ｄ側へ突出するように設けられ、取り込んだ映像を表示するＬＣＤ等の表示パネルが内蔵された表示部３６と、表示部３６に着脱自在に設けられた接眼部材３７とを備える。表示部３６は、ＬＣＤが外方に臨まされると共に、接眼部材３７との連結片及びこの連結片を操作する操作ボタンが形成されている。接眼部材３７は、表示部３６と連結される連結部と、ＬＣＤの倍率を可変するレンズ群及びこのレンズ群を光軸方向に移動する移動部材と、撮影者が接眼するアイカップとが形成されている。
【００３５】
このファインダー部３５は、表示部３６が把持部３０ｃの後端より上方に回動可能とされ、あらゆる撮影体勢に対応できる。またファインダー部３５は、接眼部材３７が表示部３６より着脱可能とされることにより、用途に応じてアイカップやレンズ群の異なる様々な接眼部を用いることができる。
【００３６】
なお、装置本体２の下面２ｆには、前面２ａよりに三脚取付用のネジ孔（図示せず）が設けられている。また下面２ｆの背面２ｄ側には、背面２ｄに設けられた開口部２５と連続する下面開口部３８が形成されている。下面開口部３８は、上述した挿入部２７とともに、バッテリパック４の挿脱時におけるユーザの指が挿入されるスペースとなる。
【００３７】
次いで、かかる装置本体２の前面２ａに装着されるレンズ鏡筒３について説明する。レンズ鏡筒３は、円筒形状をなし、前面３ａにはレンズフード９が装着されるフードマウント１１０が形成されている。またレンズ鏡筒３の背面３ｂには、装置本体２の前面２ａに形成されたレンズマウント１０に装着されるボディマウント４１が設けられている。ボディマウント４１は、上述したレンズマウント１０のマウントリング１１内に挿通され、マウントリング１１の内周面に形成された係合部１２と係合可能とされている。
【００３８】
レンズ鏡筒３の左側面３ｃには、装置本体２に装着された際に撮像装置１の把持部となるグリップ部４２が形成されている。グリップ部４２は、撮影者に右手で把持されるとともに撮影操作が行われるものであり、略矩形形状をなし撮影者の掌部、及び親指を除く指で把持されるグリップ本体４３と、グリップ本体４３の背面側より側方に膨出形成され、撮影者の親指と人差し指の間で支持される支持部４４とが形成されている。
【００３９】
グリップ本体４３は、撮影者の指が位置する上面及び背面に撮影開始ボタンや、倍率を変えるズームレバー等が配設され、右手で装置本体２を持ち、その状態で各種操作を行うことができる。またグリップ本体４３は、側面側に撮影者による撮像装置１の把持をサポートするグリップベルト４５が設けられている。グリップベルト４５は、グリップ本体４３の前面部と支持部４４との間に架け渡されることにより、グリップ本体４３を把持する撮影者の右手の甲側をサポートする。これにより、撮影者は、右手による撮像装置１の把持及び撮影操作を容易に行うことができる。
【００４０】
かかるグリップ部４２は、図３に示すように、レンズ鏡筒３の背面３ｂよりもさらに背面方向に張り出し形成され、レンズ鏡筒３が装置本体２に装着されたときに装置本体２の左側面２ｃまで延在される。これによりグリップ部４２は、装置本体２にレンズ鏡筒３が装着されると、撮像装置１の重心付近に位置されることとなる。したがって図８（ａ）、（ｂ）に示すように、撮影者がグリップ部４２を把持することにより、撮像装置１の重心を支えることから、バランスよく支え、かつ負荷を軽減することができる。
【００４１】
すなわち、上述したように、撮像装置１は、片手でグリップ部４２を把持するのみで全体を保持するハンディタイプであるため、撮影者がバランスよく保持できることが望ましい。また、撮像装置１は、装置本体２に対してレンズ鏡筒３が着脱自在とされ、倍率の異なる様々なレンズ鏡筒３が装着されうる。装置本体２は一つであるのに対して、レンズ鏡筒３は、種類によってサイズや重さも異なることから、撮像装置１の重量バランスは装置本体２に装着されるレンズ鏡筒３によって左右されるが、いずれのレンズ鏡筒３が装着された場合にも、バランスよく保持できることが望まれる。
【００４２】
この点、レンズ鏡筒３は、グリップ部４２が背面３ｂからさらに背面方向に張り出し、装置本体２の左側面２ｃまで延在されることで、撮像装置１の装置本体２とレンズ鏡筒３とに亘って設けられることとなり、いずれのレンズ鏡筒３が装着された場合にも、ほぼ撮像装置１の重心付近にグリップ部４２が位置することとなる。したがって、撮影者は、グリップ部４２を把持することで、撮像装置１の重心付近を支えることとなり、バランスを保ちながら把持することができ、腕にかかる負荷を軽減することができる。
【００４３】
また、図８（ａ）に示すように、撮像装置１は、グリップ部４２が延在された装置本体２の左側面２ｃ側に記録再生部２０が形成されているため、重心が装置本体２の左側面２ｃ側となる。したがって、グリップ部４２側に重心が偏倚することから、グリップ部４２を把持することで、撮影者は、撮像装置１の重心を支えることとなり、バランスを保ちながら把持することができ、腕にかかる負担を軽減することができる。
【００４４】
さらに、撮像装置１は、バッテリ収納部２２が装置本体２の背面２ｄに形成された開口部２５より奥に設けられ、図３に示すように、比較的重量の重いバッテリパック４が、より前面２ａ側に装着されている。したがって、撮像装置１は、重心がより前面２ａ側とされ、撮影者がグリップ部４２を把持することで重心を支えることとなる。
【００４５】
また、撮像装置１は、マイクホルダ３４が台座部３１より装置本体２の左側面２ｃ側へ張り出し形成され、後述するように外部マイク６が左側面２ｃ側に取り付けられる。これによっても、撮像装置１は、より装置本体２の左側面２ｃ側へ重心が偏倚することから、左側面２ｃ側に延在されているグリップ部４２を把持することで、撮影者が重心を支えることとなる。
【００４６】
このように、撮像装置１は、重心がグリップ部４２が延在する装置本体２の左側面２ｃ側で、前面２ａ側へ偏倚するレイアウトを採用しているため、グリップ部４２を把持することで、重心を支えることとなり、バランスを保ちながら撮影者の腕にかかる負担を軽減することができる。
【００４７】
なお、装置本体２の左側面２ｃと対向するグリップ部４２の内側面は、レンズ鏡筒３が装置本体２に装着されることにより、装置本体２の左側面２ｃと略面一となるように設計されている。したがって、撮像装置１は、レンズ鏡筒３が交換された場合にも、装置本体２の左側面２ｃ側に張り出したグリップ部４２が装置本体２と干渉することなく、レンズ鏡筒３を装置本体２に装着することができる。
【００４８】
また、装置本体２は、下面２ｆの前面２ａ側に三脚取付用のネジ孔が設けられることにより、重心近傍に三脚が取り付けられることとなる。したがって、撮像装置１は、バランスよく三脚に取り付けられることができ、揺動を防止して安定した撮影を行うことができる。
【００４９】
次いで、装置本体２の台座部３１に形成されたシュー取付部３３及びシュー取付部３３に取り付けられるシューアダプタ７について説明する。シュー取付部３３は、台座部３１の前面に設けられ、図９に示すように、シューアダプタ７が装置本体２の左側面２ｃ側から図９中矢印Ｓ方向にスライドされることにより着脱される。
【００５０】
シュー取付部３３は、長円形状をなしシューアダプタ７のアダプタ本体７ａを支持する支持面部３３ａと、シューアダプタ７のガイド部７ｂと係合する係合面部３３ｂとを有する。支持面部３３ａには、アダプタ本体７ａに形成された第１の取付ネジ５６が挿通される第１のネジ孔５０が形成されている。係合面部３３ｂは、支持面部３３ａより装置本体２の左側面２ｃ側に向かって下方に傾斜している。また係合面部３３ｂには、ガイド部７ｂに形成されたガイドレール５８が摺動するガイド凸部５１が形成されている。ガイド凸部５１は、矩形の凸部であり、上辺及び下辺にガイドレール５８が係合する凹溝が形成されている。シューアダプタ７は、ガイドレール５８がこのガイド凸部５１と係合し、スライドすることにより、シュー取付部３３に着脱される。またガイド凸部５１は、略中央にシューアダプタ７のガイド部７ｂに形成された第２の取付ネジ５９が挿通される第２のネジ孔５２が形成されている。
【００５１】
かかるシュー取付部３３に着脱されるシューアダプタ７は、図１０及び図１１に示すように、各種アクセサリーが装着されるアダプタ本体７ａと、シュー取付部３３にガイドされるガイド部７ｂとを有する。アダプタ本体７ａは、シュー取付部３３の支持面部３３ａと略同一の断面長円形状をなし、上面にアクセサリーが装着されるアクセサリーシュー５５が形成されている。アクセサリーシュー５５は、相対向する一対の係合壁が装置本体２の前後方向に亘って形成され、開放端となる前面側より各種アクセサリーが挿脱される。
【００５２】
アダプタ本体７ａの右側面には、シュー取付部３３の支持面部３３ａに螺合する第１の取付ネジ５６を操作する第１の取付操作部５７が形成されている。第１の取付ネジ５６は、シュー取付部３３の支持面部３３ａとの取付面より外方に臨まされ、第１の取付操作部５７によって支持面部３３ａに設けられた第１のネジ孔５０と螺合される。第１の取付ネジ５６を操作する第１の取付操作部５７は、アダプタ本体７ａの右側面に回動自在に形成され、ユーザによって回動操作されることにより第１の取付ネジ５６を回転させ、支持面部３３ａに形成された第１のネジ孔５０に螺合させ、あるいは螺合を解除させる。
【００５３】
アダプタ本体７ａの左側面にはシュー取付部３３の係合面部３３ｂに係合するガイド部７ｂが延設されている。ガイド部７ｂは、係合面部３３ｂと対峙する背面に係合面部３３ｂに形成されたガイド凸部５１に摺動するガイドレール５８が形成されている。ガイドレール５８は、ガイド凸部５１の上辺及び下辺に形成された凹溝に係合する一対のレール部が左下から右上にかけて形成され、このレール部をガイド凸部５１の各凹溝に係合、スライドさせることにより、シューアダプタ７がシュー取付部３３に装着される。
【００５４】
またガイド部７ｂは、一対のレール部間に係合面部３３ｂに形成されている第２のネジ孔５２に螺合される第２の取付ネジ５９が形成され、前面に第２の取付ネジ５９を回転操作する第２の取付操作部６０が形成されている。第２の取付操作部６０は、ガイド部７ｂの前面に操作ツマミが回転自在に形成され、ユーザによって回転操作されることにより第２の取付ネジ５９が第２のネジ孔５２に螺合され、あるいは螺合が解除される。
【００５５】
かかるシューアダプタ７は、図９に示すように、装置本体２の左側面２ｃ側からガイドレール５８をガイド凸部５１に係合、スライドさせることにより、アダプタ本体７ａをシュー取付部３３の支持面部３３ａと当接させ、ガイド部７ｂをシュー取付部３３の係合面部３３ｂに当接させる。このときシューアダプタ７は、支持面部３３ａに設けられた第１のネジ孔５０にアダプタ本体７ａの第１の取付ネジ５６が対峙され、係合面部３３ｂに設けられた第２のネジ孔５２にガイド部７ｂの第２の取付ネジ５９が対峙される。なお、シューアダプタ７は、ガイド部７ｂの内側面がガイド凸部５１の端面と当接されることによりスライド領域が規制される。
【００５６】
その後、第１、第２の取付操作部５７，６０がユーザによって回転操作されることにより、第１のネジ孔５０に第１の取付ネジ５６が螺合し、第２のネジ孔５２に第２の取付ネジ５９が螺合し、シューアダプタ７がシュー取付部３３に取り付けられる。シューアダプタ７を取り外す場合は、第１、第２の取付操作部５７，６０を回転させて第１、第２の取付ネジ５６，５９と第１、第２のネジ孔５０，５２との螺合を解除した後、ガイドレール５８をガイド凸部５１から装置本体２の左側面２ｃ側へスライドさせる。
【００５７】
このシューアダプタ７は、図１０（ａ）（ｃ）に示すように、アクセサリーシュー５５に各種アクセサリーが装着される。図１０（ａ）は、シューアダプタ７に装着されるアクセサリーの一例であり、ワイヤレスマイクのレシーバ６１を示す。このレシーバ６１は、本体６１ａの上面に受信アンテナ６２が立設され、本体６１ａの下面にアクセサリーシュー５５との装着部６３が形成されている。
【００５８】
装着部６３は、脚部６４にアクセサリーシュー５５に係合される係合部６５と、係合部６５とアクセサリーシュー５５との係合を保持する係止環６６が形成されている。係合部６５は、アクセサリーシュー５５の一対の係合壁に係合される一対の係合片が形成され、この係合片が一対の係合壁に係合し、スライドすることにより、アクセサリーシュー５５との係脱が行われる。係止環６６は、内周面にネジ溝が切られた環状部材であり、同じくネジ溝が切られた脚部６４の外周面に螺合され、回転されることにより昇降操作されるものである。そして係合環６６は、係合部６５がアクセサリーシュー５５に係合されると、下降され係合部６５をアクセサリーシュー５５に押圧、あるいは係合部６５を被覆し、アクセサリーシュー５５に係止させる。
【００５９】
このシューアダプタ７は、アクセサリーシュー５５にレシーバ６１等のアクセサリーが装着された図１０（ｃ）に示す状態で、シュー取付部３３との着脱が可能とされている。すなわち、図９に示すようにシューアダプタ７は、装置本体２の左側面２ｃ側から装置本体２の幅方向となる図９中矢印Ｓ方向にスライドさせることによりシュー取付部３３との着脱が行われる。また、シューアダプタ７は、シュー取付部３３との着脱を第１、第２の取付操作部５７，６０を操作することによって行う。この第１、第２の取付操作部５７，６０は、いずれもアクセサリーシュー５５にアクセサリーが装着された状態で操作可能とされ、かつシューアダプタ７がシュー取付部３３に取り付けられた状態で操作可能とされている。したがって、撮像装置１は、アクセサリーシュー５５にアクセサリーが装着された状態でシューアダプタ７をシュー取付部３３から取り外すことで、アクセサリーをシューアダプタ７ごと着脱することができる。
【００６０】
ここで、撮像装置１は、図１２及び図１３に示すように、レンズ鏡筒３の前面側にもマットボックス７０等の外部部品が装着されることがある。マットボックス７０は、装置本体２の下面２ｆに形成された三脚取付用のネジ孔に螺合される取付ネジ７１が形成されたベース７２と、長さ調節を行うアーム７３と、レンズ鏡筒３の前面側に設けられるフード７４と、レンズ鏡筒３の前面で偏光フィルタ７５が挿脱されるホルダ７６とを備える。ホルダ７６は上面側に挿入口７６ａが形成され、偏光フィルタ７５が上下方向に挿脱される。
【００６１】
かかるマットボックス７０は、フード７４がシューアダプタ７の前方に配置されることから、シューアダプタ７とマットボックス７０とのスペースに余裕がないと、アクセサリーシュー５５に装着されたアクセサリーを前方へスライドさせたときにマットボックス７０と衝突してしまい、そのままではアクセサリーを取り外すことができなくなる。またアクセサリーの着脱に際してそのつどマットボックス７０を取り外すのでは作業が煩雑となる。
【００６２】
この点、撮像装置１は、シューアダプタ７が装置本体２の幅方向へスライドさせることでシュー取付部３３との着脱が行われる。また撮像装置１は、シューアダプタ７をシュー取付部３３へ着脱させる第１の取付操作部５７がアダプタ本体７ａの右側面に設けられ、第２の取付操作部６０がガイド部７ｂの前面に設けられることにより、いずれもアクセサリーシュー５５にアクセサリーが装着され、かつマットボックス７０がレンズ鏡筒３に装着された状態でも操作可能とされていることから、シューアダプタ７ごとアクセサリーを装置本体２から取り外すことができる。したがって、撮像装置１は、マットボックス７０と干渉することなくアクセサリーの着脱を行うことができ、作業性を向上させることができる。
【００６３】
また、偏光フィルタ７５の挿脱を行う際にも、シューアダプタ７ごとアクセサリーを装置本体２から取り外すことができるため、アクセサリーをアクセサリーシュー５５から取り外した後、シューアダプタ７を取り外す場合に比して、作業を簡略化させることができる。また、シューアダプタ７を装着していない状態においては、シュー取付部３３が偏光フィルタ７５の挿脱領域から背面側へ後退した位置に形成されているため、シュー取付部３３と衝突することなく偏光フィルタ７５の挿脱を行うことができる。
【００６４】
次いで、台座部３１の左側面２ｃ側に形成されたマイクホルダ３４について説明する。マイクホルダ３４は、装置本体２の内蔵マイクに換えて用いられる外部マイク６が装着されるものである。外部マイク６は、遠くの被写体を撮影する際にその遠くの音を拾うことができる単一指向性を有し、図１４に示すように、円筒状をなす集音部６ａと、この集音部６ａに連続して設けられると共に集音部６ａに比べ細い円筒状をなす把持部６ｂと、把持部６ｂの集音部６ａと反対側の端部に連続するケーブル部６ｃを備えている。ケーブル部６ｃの把持部６ｂと反対側の端部は、台座部３１の左側面に臨まされたマイク端子７８に着脱自在に接続されている。
【００６５】
かかる外部マイク６を保持するマイクホルダ３４は、図１４〜図１６に示すように、円筒体を、その軸方向に２分割したような形状をなす第１の挟持片８０と、第２の挟持片８１からなっている。両挟持片８０，８１は、互いに重ね合わせて円筒状としたときの一方の接触部分でヒンジ手段８２により回動可能に連結されている。
【００６６】
第１の挟持片８０は、外周部に台座部３１との連結部材８３が接続され、この連結部材８３を介して台座部３１に接続されている。したがって、マイクホルダ３４は、第１の挟持片８０との接触部分を支点にヒンジ手段８２によって第２の挟持片８１が回動される。これにより、マイクホルダ３４は、第１の挟持片８０が下側から、第２の挟持片８１が上側から、外部マイクの把持部６ｂを挟持する。
【００６７】
また第１の挟持片８０と第２の挟持片８１とは、外部マイク６を挟持させるロック機構８５が形成されている。ロック機構８５は、第１の挟持片８０の外周部に形成された係止アーム８６及び係止アーム８６を操作する操作片８７と、第２の挟持片８１の外周部に形成された係止アーム８６が係止される係止凸部８８とを備える。
【００６８】
係止アーム８６は、略矩形状に形成され、長手方向の一端が操作片８７に回動自在に支持され、長手方向の他端が第２の挟持片８１に形成された係止凸部８８に係止可能とされる。また操作片８７は、一端が第１の挟持片８０の外周部に回動自在に支持され、自由端となる他端を回動操作することにより係止アーム８６と係止凸部８８との係脱を行う。係止凸部８８は、第２の挟持片８１の外周部に突設され、第１の挟持片８０と反対側の端面に係止アーム８６が係止される係止溝が形成されている。
【００６９】
かかるロック機構８５は、第２の挟持片８１を上方へ回動させて外部マイク６の把持部６ｂを第１の挟持片８０の内面に載置した後、第２の挟持片８１を下方に回動させて第１の挟持片８０とロックすることにより、外部マイクの把持部６ｂを保持する。具体的に、ロック機構８５は、係止アーム８６を係止凸部８８の係止溝に係止し、操作片８７を第１の挟持片８０の外周面側に回動させることにより、係止アーム８６の回動を規制する。また外部マイク６を取り外す際は、ロック機構８５は、操作片８７を第１の挟持片８０の外周面より上方へ回動させ、係止アーム８６と係止凸部８８の係止溝との係止を解除することにより、第２の挟持片８１を回動可能とする。
【００７０】
このようにマイクホルダ３４は、ロック機構８５によって第１の挟持片８０と第２の挟持片８１とをロックして外部マイク６の着脱を行うものであるので、操作片８７の回動操作を行うのみで、ワンタッチで外部マイク６の着脱作業を簡略に行うことができる。したがって、例えば図１７に示すように、撮像装置１を収納ケースにしまう場合に外部マイク６をマイクホルダ３４に集音部６ａを背面側に向けて装着しなおす際や、収納ケースから取り出して集音部６ａを前面側に向けて外部マイク６を装着しなおす場合など、外部マイク６の着脱作業を簡易迅速に行うことができる。
【００７１】
かかるマイクホルダ３４の第１、第２の挟持片８０，８１には、内面に外部マイク６の把持部６ｂを支持する弾性シート９０が形成されている。弾性シート９０は、弾性凸部９１が設けられ、この弾性凸部９１で把持部６ｂを支持することにより、外部マイク６にマイクホルダ３４を介して振動等によるノイズが伝達されるのを防止するとともに、外部マイク６を水平に支持するものである。
【００７２】
かかる弾性シート９０は、ゴムなど弾性樹脂を成型してなり、第１、第２の挟持片８０，８１の各内周面に貼着されるシート部９２と、シート部９２上に成型され外部マイク６の把持部６ｂと当接する複数の弾性凸部９１とを備える。弾性シート９０は、マイクホルダ３４の第１の挟持片８０と第２の挟持片８１とがロック機構８５によってロックされると、外部マイク６の把持部６ｂを弾性凸部９１によって上下方向から支持する。
【００７３】
かかる弾性凸部９１は、各シート部９２に例えば４つ均等に配置され、第１、第２の挟持片８０，８１が突き合わされることにより対峙し、上下方向から把持部６ｂを支持する。また第１の挟持片８０に貼着される第１の弾性シート９０ａは、装置本体２の前面２ａ側に設けられた２つの弾性凸部９１ａが、装置本体２の背面２ｄ側に設けられた２つの弾性凸部９１ｂ及び第２の挟持片８１に貼着された第２の弾性シート９０ｂの各弾性凸部９１ｂよりも高く形成されている。
【００７４】
したがって、図１５（ａ）に示すように、マイクホルダ３４は、第１、第２の挟持片８０，８１が突き合わされると、外部マイク６の把持部６ｂを下側から支持する第１の弾性シート９０ａの前側に形成された弾性凸部９１ａによって外部マイク６の把持部６ｂの前側を高く支持する。したがって、外部マイク６は、自重によって集音部６ａが下方に垂れ下がることが防止され、水平に保持される。
【００７５】
また、図１５（ｂ）に示すように、マイクホルダ３４は、外部マイクの把持部６ｂを下側から支持する第１の挟持片８０の内面及び第１の弾性シート９０ａに、前面側が高くなる段差９３を設けることにより、前面２ａ側の弾性凸部９１ａの高さを相対的に高くしてもよい。この場合、第１の弾性シート９０ａの前面側に形成される２つの弾性凸部９１ａは、背面側に設けられる２つの弾性凸部９１ｂ及び第２の弾性シート９０ｂの各弾性凸部９１ｂと同じ高さを有していればよい。かかる構成によっても、外部マイク６は、把持部６ｂの前側が高く支持され、自重によって集音部６ａが下方に垂れ下がることを防止され、水平に保持される。なお、この場合も、把持部６ｂの前側を下方から支持する弾性凸部９１ａを他の弾性凸部９１ｂよりも高く形成してもよい。
【００７６】
また第１の挟持片８０は、内面に段差を設ける他に、前面側に向かって上昇する傾斜面を設けてもよい。また第１の挟持片８０に前面側が高所となる段差あるいは傾斜を形成すると共に、第２挟持片８１に背面側が低所となる段差あるいは傾斜を形成してもよい。
【００７７】
さらに図１５（ｃ）に示すように、マイクホルダ３４は、第１の挟持片８０に貼着される第１の弾性シート９０ａの前面側と第２の挟持片８１に貼着される第２の弾性シート９０ｂの背面側とに形成される各弾性凸部９１ａの高さを高くし、第１の弾性シート９０ａの背面側と第２の弾性シート９０ｂの前面側とに形成される各弾性凸部９１ｂの高さを低くしてもよい。かかる構成によれば、外部マイク６は、把持部６ｂの前面側が高く、背面側低く支持され、自重によって集音部６ａが下方に垂れ下がることを防止され、水平に保持される。
【００７８】
なお、上述した弾性凸部９１は、いずれも半球状をなしており、頂部から外部マイク６の把持部６ｂを支持する。このため、外部マイク６の把持部６ｂは、弾性凸部９１との接触面積が最小限なる。したがって、マイクホルダ３４は、第１、第２の挟持片８０，８１を介して振動等によるノイズを伝わりにくくすることができる。
【００７９】
次いで、レンズ鏡筒３の前面に取り付けられるレンズフード９について説明する。レンズフード９は、レンズ鏡筒３内に不要な光が入射するのを防止するために、必要に応じて装着されるものである。図１８及び図１９に示すように、このレンズフード９は、全体が略矩形形状の筒状体をなし、軸方向の一端側に形成されレンズ鏡筒３の前端に係合される係合部１００と、内面側に回動自在に形成された上下一対のカバーと、これら上下一対のカバーを開閉操作する開閉レバー１０３とを備える。
【００８０】
係合部１００は、レンズ鏡筒３の前面外周に形成されたフードマウント１１０と係合される。ここで、フードマウント１１０は、図２０に示すように、外周方向に沿って立設された複数のガイド壁１１１〜１１４と、ガイド壁１１１，１１２間に設けられレンズフード９の係合凸部１１９が係脱される係合凹部１１５が形成されている。
【００８１】
第１のガイド壁１１１は、外周方向に沿って立設されたガイド部１１１ａと、このガイド部１１１ａの一端と連続して光軸方向に立設されることにより後述するレンズフード９のガイド凹部１１８の側壁と当接しレンズフード９の回動領域を規制する規制部１１１ｂとを有する。第１のガイド壁１１１は、ガイド部１１１ａとレンズ鏡筒３の前端面との間に、一端が規制部１１１ｂによって閉塞され、他端が開放されたガイド溝１１６が形成される。このガイド溝１１６には、開放端よりレンズフード９の係合部１００に形成された係合壁１２１が係合され、レンズフード９の回動がガイドされる。
【００８２】
第２のガイド壁１１２は、第１のガイド壁１１１の規制部１１１ｂと隣り合って設けられることにより、第１のガイド壁１１１との間にレンズフード９の係合凸部１１９が係脱する係合凹部１１５が形成される。第２のガイド壁１１２は、第１のガイド壁１１１との間で係合凸部１１９の回動を規制することにより、レンズフード９の回動を規制するとともにレンズフード９を所定の係合位置に保持する。
【００８３】
第３、第４のガイド壁１１３，１１４は、第１のガイド壁１１１とともにレンズ鏡筒３の前面に略均等配置となる間隔をもって形成されている。これら第３、第４のガイド壁１１３，１１４は、第１のガイド壁１１１のガイド部１１１ａと同様に、レンズ鏡筒３の前端面との間にガイド溝１１６が形成され、このガイド溝１１６に、レンズフード９の係合部１００に同じく均等配置となるように形成された係合壁１２１が係合され、レンズフード９の回動がガイドされる。
【００８４】
かかるフードマウント１１０に装着されるレンズフード９の係合部１００は、図１８及び図１９に示すように、フードマウント１１０の各ガイド壁１１１，１１３，１１４がスライドするガイド凹部１１８と、係合凹部１１５に係脱自在に係合される係合凸部１１９と、ガイド凹部１１８内に配設され第１のガイド壁１１１と第３のガイド壁１１３の端面を付勢する付勢部材１２０とを備える。
【００８５】
ガイド凹部１１８は、レンズフード９の内周面より立設された係合壁１２１と、レンズフード９の内周面に背面側に向かって臨まされた端面１２２との間に形成されている。このガイド凹部１１８は、フードマウント１１０に均等配置されたガイド溝１１６に対応してレンズフード９の内周面に３等配置されている。そして各ガイド凹部１１８は、レンズフード９がフードマウント１１０に装着される際には、フードマウント１１０の第１のガイド壁１１１、第３のガイド壁１１３及び第４のガイド壁１１４がスライドする。
【００８６】
また各係合壁１２１は、レンズフード９がフードマウント１１０に装着される際には、各ガイド溝１１６の開放端側から挿通されレンズフード９の回動をガイドされる。このうち、第１のガイド壁１１１とレンズ鏡筒３の前端面との間に設けられたガイド溝１１６に係合する係合壁１２１Ａは、ガイド部１１１ａにガイドされながらガイド溝１１６をスライドしていき、規制部１１１ｂに当接することによりこれ以上のスライドが規制される。
【００８７】
係合凸部１１９は、レンズフード９の内周面の一部に軸方向に昇降可能に支持されている。この係合凸部１１９は、フードマウント１１０の係合凹部１１５に係合されることによりレンズフード９の回動を規制するものであり、係合凹部１１５の幅より若干短い幅を有し、スムーズに係脱可能とされている。また係合凸部１１９は、図示しない押圧部材によって常時、係合凹部１１５と係合する背面方向に押圧されている。また係合凸部１１９は、レンズフード９の背面に臨まされている係合解除ボタン１２４が形成され、この係合解除ボタン１２４を押下することにより押圧部材の押圧力に対抗して係合凹部１１５との係合が解除される前面方向に移動される。
【００８８】
かかる係合凸部１１９は、レンズフード９がフードマウント１１０に装着される際には、第１のガイド壁１１１のガイド部１１１ａによって押下され、レンズフード９が回動されることによりガイド部１１１ａ上から係合凹部１１５へスライドし押圧部材の押圧力によって背面方向に復帰される。これにより係合凸部１１９は、図２１〜図２３に示すように、第１のガイド壁１１１と第２のガイド壁１１２と同じ高さに位置され、第１のガイド壁１１１と第２のガイド壁１１２との間に形成された係合凹部１１５に係合する。これによりレンズフード９は、図１等に示すように所定位置まで回動されると共に、回動が規制され、当該位置に保持される。
【００８９】
また、係合凸部１１９は、ユーザによって係合解除ボタン１２４が押下されると、押圧部材の押圧力に対抗して前面側に移動し、第１のガイド壁１１１と第２のガイド壁１１２と同じ高さから退避する。これによりレンズフード９は、回動が可能となり、フードマウント１１０から取り外すことができる。
【００９０】
また、係合部１００は、ガイド凹部１１８内に付勢部材１２０が形成されている。付勢部材１２０は、図２４に示すように、略矩形状のブロック体をなし、フードマウント１１０に設けられたガイド壁１１１と対向する位置に傾斜面１２５が形成されている。傾斜面１２５は、レンズフード９の回動方向に対して傾斜することにより、法線方向がレンズフード９の回動方向と同一平面上とされている。
【００９１】
かかる付勢部材１２０は、ガイド凹部１１８に形成された収納部１２６内に収納され、傾斜面１２５より先端部がガイド凹部１１８を構成する端面１２２の下部に挿通されることにより収納部１２６からの脱落が防止されている。また付勢部材１２０は、レンズフード９の内周面内に支持されたバネ部材１２７の一端に支持されることにより、収納部１２６内をレンズフード９の回動方向に沿って揺動可能とされている。
【００９２】
この付勢部材１２０は、レンズフード９がフードマウント１１０に装着されると、図２１及び図２３に示すように、ガイド凹部１１８をスライドしてきた第１のガイド壁１１１のガイド部１１１ａの端面１１１ｃが傾斜面１２５に当接する。第１のガイド壁１１１は、傾斜面１２５と当接するガイド部１１１ａの端面１１１ｃが該傾斜面１２５と同方向の傾斜を備えているため、傾斜面１２５と端面１１１ｃとが面接触する。そして、付勢部材１２０は、バネ部材１２７の付勢力によって、傾斜面１２５がガイド部１１１ａの端面１１１ｃを付勢する。
【００９３】
ここで傾斜面１２５及びこの傾斜面１２５と面接触するガイド部１１１ａの端面１１１ｃとは、上述したように、レンズフード９の回動方向に対して傾斜することにより、法線方向がレンズフード９の回動方向と同一平面上とされている。すなわち、レンズフード９は、付勢部材１２０の付勢力によって回動方向に付勢されることとなる。このとき、レンズフード９は、係合凸部１１９が係合凹部１１５に係合されることにより回動がほぼ規制された状態であり、付勢部材１２０の付勢力を受けることにより、回動方向に対するがたつきを防止することができる。
【００９４】
同様に、図２１及び図２２に示すように、第３のガイド壁１１３がスライドするガイド凹部１１８内にも付勢部材１２０が形成されており、かつ第３のガイド壁１１３の端面にも傾斜面が形成され、付勢部材１２０によって回動方向に付勢される。ここで、第３のガイド壁１１３が受ける付勢方向は、第１のガイド壁１１１が受ける付勢方向と同方向であるため、レンズフード９は、各付勢部材１２０によって同方向に付勢力が作用し、これによってより効果的にレンズフード９のがたつきを防止することができる。
【００９５】
なお、付勢部材１２０に形成される傾斜面の傾斜方向をレンズフード９の回動方向に対して傾斜させ、該傾斜面の法線方向が回動方向と交わるように傾斜させることによっても、回動方向に対する付勢力を得ることができ、レンズフード９のがたつきを防止することができる。
【００９６】
以上のようなレンズフード９は、フードマウント１１０に装着させる場合、先ず、上面に形成されたフード指標１２８を、レンズ鏡筒３の外周面に形成されたレンズ指標１２９に一致させ、係合部１００をレンズ鏡筒３の前面にあてがう。このとき、レンズフード９は、係合凸部１１９がフードマウント１１０に設けられた第１のガイド壁１１１のガイド部１１１ａに押圧される。
【００９７】
次いで、図２５に示すように、レンズフード９は、レンズ鏡筒３に対して回動される。これによりレンズフード９は、ガイド凹部１１８にフードマウント１１０に設けられた各ガイド壁１１１，１１３，１１４がスライドし、また各係合壁１２１がフードマウント１１０に設けられたガイド溝１１６に係合しスライドすることにより回動動作をガイドされる。
【００９８】
そして、レンズフード９は、図１等に示す所定位置まで回動されると、図２１に示すように、係合壁１２１が規制部１１１ｂと当接し、またガイド部１１１ａに押圧されていた係合凸部１１９が係合凹部１１５に係合することにより、これ以上の回動が規制される。このとき係合凸部１１９が押圧部材によってレンズフード９の背面方向に跳ね上げられることから、係合凸部１１９が係合凹部１１５に係合し、レンズフード９がフードマウント１１０に装着されたことをユーザに感知させることができる。
【００９９】
また、レンズフード９がフードマウント１１０に装着されると、ガイド凹部１１８に設けられた付勢部材１２０によって、第１のガイド壁１１１及び第３のガイド壁１１３の各端面が、レンズフード９の回動方向に付勢されるため、レンズフード９は、回動方向に対するがたつきが効果的に防止される。
【０１００】
レンズフード９をフードマウント１１０から取り外すときには、レンズフード９の背面に臨まされている係合解除ボタン１２４を押下する。これにより係合凸部１１９が係合凹部１１５より退避し、レンズフード９が回動自在となる。この状態で、装着時と反対方向にレンズフード９を回動させ、各係合壁１２１とフードマウント１１０に設けられた各ガイド溝１１６との係合を解除することにより、すなわち各ガイド凹部１１８と各ガイド壁１１１，１１３，１１４との係合が解除されると、レンズフード９をフードマウント１１０から取り外すことができる。
【０１０１】
次いで、装置本体２の背面２ｄに形成された装着部２３及びこの装着部２３に装着される補助記録媒体ユニット５について説明する。補助記録媒体ユニット５は、装置本体２の記録再生部２０に収納されるテープカートリッジの他に、装置本体２に対して着脱自在に装着されるものであり、記録再生部２０でのテープカートリッジへの記録ミスに備えて主記録媒体と平行して撮影データを記録したり、テープカートリッジの記録容量オーバー等の事態に備えて用いられる。また補助記録媒体ユニット５は、装置本体２から外した後、編集装置に接続することで、撮像装置１から独立して記録データの編集を行うこともできるため、この補助記録媒体ユニット５のみを編集に回すことで撮像装置１を用いた撮影と編集を平行して行うこともできる。
【０１０２】
この補助記録媒体ユニット５は、図２６及び図２７に示すように、略矩形状のユニット本体１３０内に補助記録媒体として例えばメモリカード１３１が挿脱自在に収納される。補助記録媒体ユニット５は、補助記録媒体として、メモリカード１３１以外にも、例えばＤＶＤやＢＤ、あるいはハードディスクや光磁気ディスク等のディスク状記録媒体を用いてもよい。
【０１０３】
ユニット本体１３０は、前面１３０ａに蓋体１３２が形成され、右側長辺を支点として開閉自在に支持されている。蓋体１３２は、左側面１３２ａにユニット本体１３０側にロックされるロック部１３３が形成されている。ロック部１３３は、ユニット本体１３０側に設けられた係止片１３４に係止される図示しないロック片と、ロック片をスライド操作して係止片１３４との係合を解除するロック解除レバー１３５とを有する。また蓋体１３２は、前面１３２ｂにメモリカード１３１の記録データを編集する編集ボタン１３６が形成されている。
【０１０４】
またユニット本体１３０は、蓋体１３２が開放されると、メモリカード１３１が装着されるカード収納部１３７が臨まされる。カード収納部１３７は、一端にメモリカード１３１をカード収納部１３７より押し出す排出ボタン１３８が形成されている。かかるユニット本体１３０は、装置本体２の装着部２３に装着された状態で蓋体１３２が開閉可能とされ、メモリカード１３１の着脱が可能とされている。
【０１０５】
その他、ユニット本体１３０は、前面１３０ａの上部にモニタ１３９が形成されている。モニタ１３９は、メモリカード１３１に対する編集状態等を表示する。またユニット本体１３０は、上面１３０ｂに装着部２３との係合を解除して装置本体２からの取り外しを可能とする係合解除レバー１４０が形成されている。
【０１０６】
またユニット本体１３０は、図２８に示すように、装置本体２の装着部２３に対峙する背面１３０ｃに、装着部２３に形成された本体側端子部１６３に接続されるユニット側端子部１４１と、ユニット側端子部１４１が本体側端子部１６３以外の端子に誤装着されることを防止する誤装着防止片１４２と、装着部２３との係合を図る係合片１４３と、ユニット本体１３０を装着部２３に係合させる係合凸片１４４が形成されている。
【０１０７】
そしてユニット本体１３０は、ユニット側端子部１４１が本体側端子部１６３に挿入されるとともに係合片１４３が装着部２３に設けられた係合溝部１６４に挿入された後、下方にスライドされることによりユニット側端子部１４１と本体側端子部１６３とが接続されるとともに係合片１４３が係合溝部１６４と係合する。
【０１０８】
ユニット側端子部１４１は、例えばＩＥＥＥ１３９４規格に基づいた通信端子であり、装置本体２の本体側端子部１６３と接続されることにより、装置本体２より音声や映像等の情報信号や駆動電源が供給される。このユニット側端子部１４１は、図２９に示すように、本体側端子部１６３内に挿入可能に背面１３０ｃより張り出し形成されている。またこのユニット側端子部１４１に対応して、装着部２３に形成された本体側端子部１６３は、図３１に示すように、ユニット側端子部１４１が挿入されることにより本体端子１７４が接続可能となるように、装置本体２の背面２ｄより奥まった位置に形成されている。これにより本体側端子部１６３は、ユニット側端子部１４１以外の端子が接続されることが防止されている。
【０１０９】
かかるユニット側端子部１４１は、図３０に示すように、ユニット本体１３０内に揺動自在に支持されている支持板１５０に形成され、支持板１５０の主面より突設する基部１５１と、基部１５１の上部に形成されたユニット端子１５２と、ユニット端子１５２の両側に立設された一対の接続ガイド１５３，１５３と、基部１５１の上部側面に形成され本体側端子部１６３の嵌合壁部１７３に嵌合する嵌合凸部１５４とを有する。
【０１１０】
基部１５１は、支持板１５０がユニット本体１３０の背面１３０ｃと略面一に支持されることにより、背面１３０ｃより突出する。これにより基部１５１は、上部に形成されたユニット端子１５２を、装着部２３の奥に形成された本体側端子部１６３の本体端子１７４と接続可能な位置へ挿入させる。
【０１１１】
ユニット端子１５２の両側に立設されている接続ガイド１５３は、ユニット本体１３０の上下方向に亘って形成されることにより、本体側端子部１６３内に挿入されたユニット側端子部１４１のスライド方向に沿って形成されている。この接続ガイド１５３は、後述する本体側端子部１６３の本体端子１７４の両側に設けられたガイド凹部１７６にガイドされることによりユニット側端子部１４１のスライドをガイドし、ユニット端子１５２と本体端子１７４とのスムーズな係脱を確保する。
【０１１２】
基部１５１の上部側面に形成されている嵌合凸部１５４は、凹凸形状をなし、これに対応して設けられた本体側端子部１６３の嵌合壁部１７３の凹凸形状と嵌合可能とされている。したがって、ユニット側端子部１４１は、嵌合凸部１５４が嵌合壁部１７３に嵌合することにより、本体側端子部１６３内に挿入可能となる。
【０１１３】
ユニット側端子部１４１とともに支持板１５０に形成されている誤装着防止片１４２は、略矩形板状をなし、ユニット側端子部１４１の近傍、例えば数ｃｍ程度下方に立設されている。そして誤装着防止片１４２は、ユニット側端子部１４１が本体側端子部１６３に挿入されると、装着部２３の開口部２５内に挿入される。かかる誤装着防止片１４２は、ユニット側端子部１４１の近傍に立設されることにより、ユニット側端子部１４１が本体側端子部１６３以外に装着されることを防止することができる。
【０１１４】
これらユニット側端子部１４１及び誤装着防止片１４２が設けられた支持板１５０は、図３０に示すように、主面部１５６と、ユニット本体１３０に支持される支軸１５７が形成された側面部１５８と、ユニット本体１３０の背面１３０ｃに係止される係止辺１５９が形成されている。
【０１１５】
支軸１５７は、主面部１５６の下方に形成され、ユニット本体１３０内に形成された軸受け部１６０に回動自在に支持されることにより、図３０（ａ）中矢印Ｚ方向に揺動可能とされている。支持板１５０のＺ方向への揺動範囲は主面部１５６の上部に形成された係止辺１５９がユニット本体１３０に係止され、また主面部１５６がユニット本体１３０の内部構成に当接することにより規制される。また支軸１５７は、軸受け部１６０と軸方向に対して若干の隙間をもって支持されることにより、支持板１５０が図３０（ｂ）中矢印Ｘ方向へも揺動可能とされている。
【０１１６】
このように、支持板１５０は、図３０中矢印Ｘ方向及び矢印Ｚ方向へ揺動可能とされ、かつユニット側端子部１４１のスライド方向である上下方向への揺動が規制されている。これにより、補助記録媒体ユニット５は、ユーザがユニット側端子部１４１を本体側端子部１６３内に挿入しユニット端子１５２と本体端子１７４との位置合わせを行う際に、ユニット側端子部１４１を揺動可能とすることにより、ユニット側端子部１４１にかかる負荷を軽減することができる。また、補助記録媒体ユニット５は、ユニット端子１５２の本体側端子部１６３に対するスライド方向への揺動は規制されているため、ユニット端子１５２と本体端子１７４との確実な接続を確保するとともに、装置本体２が揺動した場合にもユニット端子１５２が本体端子１７４から抜け出ることを防止することができる。特に、撮像装置１は静止した状態で用いられるのみならず、撮影者と共に移動し、ときには撮影者が走りながら使用されることもあるが、このような場合に、支持板１５０が揺動することにより振動や衝撃を吸収し、ユニット側端子部１４１と本体側端子部１６３との接続を確保することができる。さらに、補助記録媒体ユニット５は、装着部２３より取り外す際にも、ユニット側端子部１４１のスライド方向への揺動が規制されているため、本体端子１７４からユニット端子１５２を確実に引き抜くことができ、また矢印Ｘ方向及びＺ方向に揺動可能とされているため、ユニット側端子部１４１や本体側端子部１６３にかかる負荷を軽減することができる。
【０１１７】
ユニット本体１３０の背面１３０ｃに形成された係合片１４３は、ユニット本体１３０の装着部２３に対するスライド方向に亘って幅方向の両側に形成されている。この係合片１４３は、上下に離間して装着部２３側に形成された係合溝部１６４に係合する凸部１４３ａが形成されている。凸部１４３ａは、ユニット本体１３０の下方に向かって形成され、ユニット本体１３０の上方に向かって開放された係合溝部１６４の開放端より挿通され、ユニット本体１３０が下方にスライドされることにより係合溝部１６４に挟持される。ユニット本体１３０は、係合片１４３が係合溝部１６４に挟持されることにより、装着部２３に装着される。
【０１１８】
この係合片１４３は、係合溝部１６４に挟持される凸部１４３ａが上下に離間して２カ所に設けられ、また各凸部１４３ａ間も連続されることにより、長尺状に立設されている。したがって、係合片１４３は、係合溝部１６４に挟持される凸部１４３ａのみが立設されている場合に比して強度が確保されており、ユニット本体１３０の背面１３０ｃに立設されることにより周囲と衝突した場合にも、容易に破損することがない。
【０１１９】
なお、係合片１４３の近傍には、アース端子１６２が形成されている。アース端子１６２は、ユニット本体１３０が装着部２３に装着されると、装着部２３に形成された端子に当接され、装置本体２のアースと接続される。
【０１２０】
ユニット本体１３０を装着部２３に係合させる係合凸片１４４は、装着部２３に装着されたユニット本体１３０の、係合片１４３と係合溝部１６４との係合が解除される上方へのスライドを規制するものであり、ユニット本体１３０の背面１３０ｃより装着部２３側へ突出されている。そして、係合凸片１４４は、ユニット本体１３０が装着部２３に装着すると、装着部２３側に設けられた係合凹部１６５に係合する。これによりユニット本体１３０は、係合片１４３が係合溝部１６４に係合された状態で上下方向のスライドが規制され、装着部２３からの抜け止めが図られる。
【０１２１】
また係合凸片１４４は、ユニット本体１３０の上面１３０ｂに設けられた係合解除レバー１４０と連動し、係合解除レバー１４０が押下されることによりユニット本体１３０内に退避する。したがってユニット本体１３０は、係合解除レバー１４０を押下し、係合凸片１４４と係合凹部１６５との係合を解除した状態で、装着部２３の上方へスライドさせることにより、係合片１４３を係合溝部１６４から抜き取り、装着部２３からの取り外しが可能となる。
【０１２２】
次いで、かかる補助記録媒体ユニット５が装着される装着部２３について説明する。装着部２３は、図３１〜図３３に示すように、装置本体２の背面２ｄに開口された開口部２５及びその周辺に設けられている。装着部２３は、ユニット側端子部１４１が接続される本体側端子部１６３と、ユニット本体１３０の係合片１４３が係合される係合溝部１６４と、係合凸片１４４が係合する係合凹部１６５と、本体側端子部１６３と同一信号線より分岐する外部接続端子１６６と、各種出力端子群１６７とが形成されている。
【０１２３】
本体側端子部１６３は、装置本体２の背面２ｄに開口された端子凹部１７０内のやや奥まった位置に形成され、図３４に示すように、金属製のフレーム１７１と、フレーム１７１内に設けられた端子ユニット１７２とを備え、フレーム１７１及び端子ユニット１７２が端子凹部１７０内に一体にネジ止めされている。
【０１２４】
フレーム１７１は、矩形の筒状体をなし、一方の主面が開放されるとともにユニット側端子部１４１と嵌合する嵌合壁部１７３が形成されている。嵌合壁部１７３は、ユニット側端子部１４１に形成された嵌合凸部１５４の凹凸形状に対応した凹凸形状を有し、嵌合凸部１５４が嵌合することによりユニット側端子部１４１がフレーム１７１内に挿入される。
【０１２５】
フレーム１７１の内部空間に一体に設けられた端子ユニット１７２は、ユニット側端子部１４１のユニット端子１５２と接続される本体端子１７４と、本体端子１７４を閉塞するカバー１７５と、ユニット側端子部１４１に形成された接続ガイド１５３がスライドするガイド凹部１７６とが形成されている。
【０１２６】
本体端子１７４は、フレーム１７１内において、ユニット本体１３０のスライド方向となる上下方向に亘って傾斜面１７７が形成され、この傾斜面１７７を昇った先に形成されている。また本体端子１７４は、未使用時には、端子ユニット１７２にユニット本体１３０のスライド方向にスライド自在に支持されたカバー１７５によって閉塞され、塵埃の付着や金属部品との接触による短絡を防止している。カバー１７５は、図示しない付勢部材によって常時本体端子１７４を閉塞する上方向へ付勢されており、ユニット側端子部１４１がフレーム１７１内に挿入し、下方にスライドすることにより接続ガイド１５３によって押下され、本体端子１７４を外方に臨ませ、ユニット端子１５２と接続可能とする。
【０１２７】
ガイド凹部１７６は、本体端子１７４の両側に設けられユニット側端子部１４１に形成された接続ガイド１５３がスライドされる。このガイド凹部１７６は、端子ユニット１７２の側壁と本体端子１７４との間に、ユニット側端子部１４１のスライド方向に亘って形成されている。ガイド凹部１７６は、接続ガイド１５３がスライドされることによりユニット側端子部１４１のスライドをガイドし、ユニット端子１５２と本体端子１７４との確実な接続を可能とする。
【０１２８】
かかる本体側端子部１６３は、ユニット側端子部１４１が嵌合凸部１５４を嵌合壁部１７３に嵌合させながらフレーム１７１内に挿入される。これにより本体側端子部１６３は、ガイド凹部１７６内に接続ガイド１５３が位置され、また傾斜面１７７の下端にユニット端子１５２が位置される。そして、図３４（ｂ）に示すように、ユニット本体１３０が装着部２３を下方にスライドされると、本体側端子部１６３は、ガイド凹部１７６で接続ガイド１５３をガイドしながら、ユニット端子１５２が傾斜面１７７を摺動し、接続ガイド１５３がカバー１７５を押下して本体端子１７４を露出させた後、ユニット端子１５２と本体端子１７４とが接続される。なお、このときユニット本体１３０は、係合片１４３が装着部２３の係合溝部１６４をスライドし、凸部１４３ａが係合溝部１６４に挟持され、また、係合凸片１４４が係合凹部１６５に係合される。
【０１２９】
また、本体側端子部１６３は、ユニット側端子部１４１との接続を解除する際には、ユニット本体１３０が装着部２３を上方にスライドされることにより、ユニット側端子部１４１がフレーム１７１内をガイド凹部１７６にガイドされながら上方にスライドし本体端子１７４とユニット端子１５２とが外される。そして、本体側端子部１６３は、嵌合壁部１７３から嵌合凸部１５４が排出されることによりユニット側端子部１４１が取り外される。また、図３４（ａ）に示すように、本体側端子部１６３は、カバー１７５が上方にスライドされ、本体端子１７４が遮蔽される。
【０１３０】
本体側端子部１６３は、かかるユニット側端子部１４１との着脱時において、上述したように、ユニット側端子部１４１が本体端子１７４とユニット端子１５２との接続方向を除いて揺動自在とされているため、無理な力が加わることがなく、破損が防止される。また、本体側端子部１６３は、ユニット側端子部１４１が装着された状態で装置本体２が揺動した場合にも、ユニット側端子部１４１が揺動することにより本体端子１７４とユニット端子１５２とにかかる衝撃が吸収され、接続信頼性を維持することができる。
【０１３１】
ユニット本体１３０に形成された係合片１４３と係合する係合溝部１６４は、装置本体２の背面２ｄに開口された開口部２５の内側面に形成されている。この係合溝部１６４は、開口部２５の内側面の両側に形成され係合片１４３の凸部１４３ａが挿通される挿通部１６４ａと、挿通部１６４ａに挿通された凸部１４３ａを挟持する挟持部１６４ｂとを有する。
【０１３２】
挿通部１６４ａは、背面２ｄから開口部２５の内方にかけて形成され、この挿通部１６４ａの下面側から挟持部１６４ｂが下方に向かって形成されている。そして係合溝部１６４は、ユニット本体１３０の係合片１４３の凸部１４３ａが挿通部１６４ａに挿通された後、装着部２３の下方にスライドすることにより、凸部１４３ａが挟持部１６４ｂに圧入される。これにより係合溝部１６４は、係合片１４３の凸部１４３ａを挟持し、ユニット本体１３０が装着部２３からの脱落が防止されている。
【０１３３】
また、上記係合溝部１６４は、ユニット本体１３０が装着部２３から取り外される際には、ユニット本体１３０が上方にスライドされることにより、係合片１４３の凸部１４３ａが挟持部１６４ｂから挿通部１６４ａへスライドされる。そしてユニット本体１３０は、凸部１４３ａの挟持が解除されると、装置本体２の背面２ｄ側へ引き抜かれることにより係合片１４３も係合溝部１６４から抜き取られる。
【０１３４】
なお、各係合溝部１６４は、ユニット本体１３０に形成されたアース端子１６２が挿入されるアース用開口部１７９が形成されている。アース用開口部１７９内には、装置本体２内のアースと接続された端子が臨まされており、ユニット本体１３０が装着部２３に装着されることによりアース端子１６２が挿入し、装置本体２のアースと接続される。
【０１３５】
また開口部２５の上方には、ユニット本体１３０に設けられた係合凸片１４４が挿入される係合凹部１６５が形成されている。係合凹部１６５は、係合凸片１４４が挿入可能な大きさを有し、係合凸片１４４が挿入されると、ユニット本体１３０の上方へのスライドを規制する。また、係合凹部１６５は、係合解除レバー１４０が押下されることにより係合凸片１４４がユニット本体１３０内へ退避すると、係合凸片１４４との係合が解除され、ユニット本体１３０のスライドを可能とする。
【０１３６】
図３２に示すように、ユニット本体１３０が装着された際の、該ユニット本体１３０の投影面内には、本体側端子部１６３と同一信号線より分岐する外部接続端子１６６が形成されている。外部接続端子１６６は、例えばＩＥＥＥ１３９４規格等の周辺機器との接続規格に基づいた接続端子であり、本体側端子部１６３とは異なる物理的形状を有する。この外部接続端子１６６は、開口部２５の長辺に形成されたヒンジ機構によって開閉可能に支持された端子蓋１８０によって開閉される。そして、外部接続端子１６６は、使用に際しては、図３２に示すように、ユーザによって端子蓋１８０が開口部２５側に回動されることによって外部に臨まされ、未使用時には図３１に示すように、端子蓋１８０によって閉塞され、塵埃の付着や金属部品との接触による短絡が防止されている。
【０１３７】
ここで図３３に示すように、端子蓋１８０は、ヒンジ機構によって支持された長辺が、装着部２３に装着されたユニット本体１３０の投影面内に設けられているため、ユニット本体１３０が装着部２３に装着されることにより開放操作が規制される。したがって、外部接続端子１６６は、装着部２３にユニット本体１３０が装着され本体側端子部１６３にユニット側端子部１４１が接続されると使用が禁止される。また外部接続端子１６６は、装着部２３からユニット本体１３０が取り外された状態においてのみ端子蓋１８０が開放されて使用可能とされ、かつ図３２に示すように、端子蓋１８０が開放された状態では、ユニット本体１３０を装着部２３へ装着することができず、本体側端子部１６３の使用が禁止されている。すなわち、装置本体２は、本体側端子部１６３と外部接続端子１６６とを同時に他の外部機器に接続することを禁止する構成となっている。
【０１３８】
これは、装置本体２は、本体側端子部１６３と外部接続端子１６６とが同一のバスラインより分岐しているものであることから、同時に異なる周辺機器が接続されると、通信の信頼性が損なわれるおそれがあるためである。図３５に補助記録媒体ユニット５が接続された装置本体２の機能ブロックを示す。図３５に示すように、装置本体２は、バスライン１８２に接続されたＩＥＥＥ１３９４インタフェース１８１より、本体側端子部１６３と外部接続端子１６６とが分岐している。またＩＥＥＥ１３９４インタフェース１８１を介して、バッテリ収納部２２に収納されたバッテリパック４の電力が本体側端子部１６３と外部接続端子１６６を介して補助記録媒体ユニット５等の外部機器に供給される。
【０１３９】
補助記録媒体ユニット５は、バッテリパック４の電力を駆動電源として用い、制御部１８５によってユニット側端子部１４１から入力された情報信号をメモリカード１３１へ記録し、また編集ボタン１３６の操作に応じてメモリカード１３１への記録や記録されたデータの編集操作やモニタ１３９の表示等を行う。
【０１４０】
また、装置本体２は、バスライン１８２を介してシステムコントローラ１８３と記録再生部２０、レンズ鏡筒３、液晶表示パネル３２、ファインダー部３５の表示部３６、出力端子群１６７とが接続され、操作部１５の操作指示を受けたシステムコントローラ１８３によって関係各部が駆動される。
【０１４１】
また装着部２３は、外部接続端子１６６の下方にＡＶ出力端子等の出力端子群１６７が形成されている。これら出力端子群１６７も端子蓋によって開閉され、塵埃の付着や短絡が防止されている。また出力端子群１６７を閉塞する端子蓋は、ユニット本体１３０の投影面外にて支持されているため、装着部２３にユニット本体１３０が装着された状態においても回動でき、出力端子群１６７の使用が可能とされている。
【０１４２】
次いで、装置本体２から取り外した補助記録媒体ユニット５を用いてメモリカード１３１に記録されたデータの編集を行う工程について説明する。補助記録媒体ユニット５は、メモリカード１３１のデータ編集を行う場合、ユニット本体１３０には電源が内蔵されていないため、図３６に示すように、アダプタ１９０を介してバッテリパック４と接続して駆動電源を得る。
【０１４３】
アダプタ１９０は、略矩形状に形成され、一面に補助記録媒体ユニット５のユニット本体１３０が装着されるユニット装着面１９０ａが設けられ、他面にバッテリパック４が接続されるバッテリ接続凹部１９０ｂが設けられている。ユニット装着面１９０ａは、図３６（ａ）に示すように、上述した装置本体２の背面２ｄに設けられた装着部２３と同様の構成を備えるものであり、ユニット側端子部１４１が挿入されるアダプタ側端子部１９１と、誤装着防止片１４２が挿入される挿入凹部１９２と、係合片１４３と係合される係合溝部１９３と、係合凸片１４４が係合する係合凹部１９４とを備える。
【０１４４】
アダプタ側端子部１９１は、上記本体側端子部１６３と同様の構成を備えているため、詳細は省略する。ユニット本体１３０は、ユニット側端子部１４１がアダプタ側端子部１９１に接続されることにより、バッテリパック４から駆動電源が供給される。また挿入凹部１９２は、誤装着防止片１４２に対応してアダプタ側端子部１９１の下方に形成されている。
【０１４５】
係合溝部１９３は、ユニット本体１３０をユニット装着面１９０ａに装着させるものであり、上述した係合溝部１６４と同様の構成を備えるため詳細は省略する。ユニット本体１３０は、係合片１４３を係合溝部１６４に挿入後、下方にスライドさせることにより凸部１４３ａが係合溝部１９３に挟持され、ユニット装着面１９０ａに装着される。
【０１４６】
係合凹部１９４は、ユニット本体１３０がユニット装着面１９０ａに装着されると、係合凸片１４４が挿入される。係合凸片１４４が係合凹部１９４に係合されることにより、ユニット本体１３０は、ユニット装着面１９０ａの上下方向へのスライドが規制され、アダプタ１９０への装着が維持される。ユニット本体１３０は、上面１３０ｂに設けられた係合解除レバー１４０が押下されることにより係合凸片１４４が係合凹部１９４より退避し、ユニット装着面１９０ａとの係合が解除される上方へのスライドが可能となる。
【０１４７】
バッテリ接続凹部１９０ｂは、図３６（ｂ）に示すように、上述したバッテリ収納部２２と同様の構成を備えるものであり、バッテリパック４の外形に応じた凹部が形成されてなる。このバッテリ接続凹部１９０ｂは、内側面にバッテリパック４の外周面に形成された係合凹部２８が係合される係合凸部１９６が形成されており、バッテリパック４を装着する際には、バッテリパック４を挿入し、下面側にスライドさせることにより係合凹部２８が係合凸部１９６に係合する。またバッテリ接続凹部１９０ｂの下面部には、図示しないアダプタ側端子部が形成されており、バッテリパック４が装着されることによりバッテリ側端子部と接続される。
【０１４８】
またアダプタ１９０は、側面１９０ｃにＵＳＢやＩＥＥＥ１３９４等の所定の通信規格に基づく外部接続端子１９７が形成されている。外部接続端子１９７は、例えば外部記録装置が接続され補助記録媒体ユニット５の編集データを当該外部記録媒体に出力したり、また編集装置が接続されることにより補助記録媒体ユニット５のメモリカード１３１に記録されているデータの編集を行う。この外部接続端子１９７は、アダプタ１９０の側面１９０ｃの上部に張り出し形成された接続部１９８の下面１９８ａより外方に臨まされている。そして外部接続端子１９７には、ケーブルの一端が外部機器に接続されているコネクタ１９９が下方から接続される。アダプタ１９０は、外部機器との接続を図る外部接続端子１９７が接続部１９８の下面１９８ａに臨まされ、コネクタ１９９が下方から接続されることから、ケーブルの曲げや捩れ等もなく配線がまとまりやすくなる。
【０１４９】
かかるアダプタ１９０は、図３６（ｃ）に示すように、ユニット装着面１９０ａにユニット本体１３０が装着され、バッテリ接続凹部１９０ｂにバッテリパック４が接続されると、ユニット側端子部１４１側へアダプタ側端子部１９１よりバッテリパック４の電力が供給される。補助記録媒体ユニット５は、この電力を受けてメモリカード１３１に記録された各種データの簡易編集を行うことができる。補助記録媒体ユニット５は、装置本体２より取り外された状態でデータの編集が可能となることから、撮像装置１での撮影を続行する傍ら、撮影した映像や音声の粗編集を同時並行で行うことができる。また、補助記録媒体ユニット５は、メモリカード１３１に記録されたデータに対して編集を行うため、テープカートリッジを用いる場合よりも効率よく迅速に編集操作を行うことができる。
【０１５０】
なお、アダプタ１９０は、バッテリパック４を使用する他に、ＤＣケーブル端子１９５を設け、ＤＣアダプタを介して家庭用電源を取り込み、補助記録媒体ユニット５に供給するようにしてもよい。
【０１５１】
次いで、撮像装置１とレンズ鏡筒３を共用する肩載せタイプの撮像装置２００について説明する。この撮像装置２００は、図３７〜図３９に示すように、上述したハンディタイプの撮像装置１に比して大型の装置本体２０１を有し、この装置本体２０１内に、主記録媒体として、ＨＤＶ記録が可能な磁気テープカートリッジが収納されている。なお、撮像装置２００に用いられる主記録媒体としては、ＤＶカセット以外の磁気テープや、ＣＤ、ＤＶＤ、ＢＤ等の光ディスク、光磁気ディスク、ハードディスク等の磁気ディスクといったディスク状記録媒体、あるいは半導体メモリ等の記録媒体を用いることもできる。
【０１５２】
また、装置本体２０１は、主記録媒体の他に補助記録媒体ユニット５が装着可能とされている。これにより装置本体２０１は、主記録媒体への記録ミスや容量オーバー等の事態、あるいは予備として主記録媒体及び補助記録媒体ユニット５に収納されたメモリカード１３１に各種データを保存することができる。
【０１５３】
この撮像装置２００は、略矩形状をなし撮影時には撮影者の右肩に載置される装置本体２０１と、装置本体２０１の前面２０１ａに設けられたレンズ鏡筒２０２とを備える。また撮像装置２００は、レンズ鏡筒２０２が着脱可能とされるとともに、交換レンズとして倍率等の異なる複数種類のレンズ鏡筒２０２が用意され、必要に応じて最適なレンズ鏡筒２０２を装着して用いることができる。また、レンズ鏡筒３は、グリップ部２０３が形成され、このグリップ部２０３ごと装置本体から着脱される。
【０１５４】
このレンズ鏡筒２０２は、前面にレンズフード２０４が着脱自在に装着される。レンズ鏡筒２０２は、グリップ部２０３の位置を除いて上記レンズ鏡筒３と同様の構成を備え、またレンズフード２０４は上述したレンズフード９と同様の構成を備えるものであるため、それぞれ詳細は省略する。
【０１５５】
また装置本体２０１は、右側面２０１ｂに各種操作を行う操作部２０５が設けられ、左側面２０１ｃに補助記録媒体ユニット５が装着される装着部２０６が設けられている。さらに装置本体２０１は、背面２０１ｄにリチウムイオン二次電池等のバッテリパック２０７が着脱自在に装着される。この撮像装置２００は業務用であり、長時間の使用に耐える必要からバッテリパック２０７は、容量の大きい大型のバッテリが用いられている。
【０１５６】
また装置本体２０１は、上面２０１ｅに取っ手部２０８が形成されている。取っ手部２０８は、装置本体２０１の上面２０１ｅの幅方向の略中心に、前後方向に亘って形成され、撮影や搬送時にユーザに握られることによりバランスよく装置本体２０１を持つことができる。取っ手部２０８の上面には、各種アクセサリーが装着されるアクセサリーシュー２０８ａが形成されている。また、この取っ手部２０８の前方には、レンズ鏡筒２０２の撮像レンズを介して取り込まれた画像を視認するファインダーブロック２０９が設けられている。
【０１５７】
かかる装置本体２０１は、装着部２０６より背面２ｄ側に、主記録媒体となる磁気テープカートリッジが収納され、該磁気テープカートリッジに対して記録再生を行う記録再生部２１０が設けられている。記録再生部２１０は、磁気テープカートリッジが装着され、駆動するデッキ部と、磁気テープカートリッジに対して情報信号の記録及び／又は再生を行うヘッド部とを有する。また記録再生部２１０は、装置本体２０１の上面２０１ｅに磁気テープカートリッジが挿脱される挿脱口が臨まされるとともに、この挿脱口を開閉する開閉蓋２１２が形成されている。デッキ部に磁気テープカートリッジを装着する際には、開閉蓋２１２を回動して挿脱口を臨ませ、磁気テープカートリッジを縦にして挿入する。
【０１５８】
なお撮像装置２００は、主記録媒体として、記録容量の異なる大小二種類の磁気テープカートリッジが用意され、記録再生部２１０は、挿脱口には当該二種類の磁気テープカートリッジが収納可能とされている。
【０１５９】
また、装置本体２０１は、下面２０１ｆに、撮影者の右肩が当てられる肩当てパッド２１１が形成されている。そして、撮像装置２００は、撮影を行う場合は、図３７（ｂ）に示すように、撮影者の右肩に装置本体２０１を載せるとともに、レンズ鏡筒２０２に設けられたグリップ部２０３を右手で把持する。この撮像装置２００は、全体の重量を撮影者の右肩で支えることでバランスを保ち、グリップ部２０３を把持する右手で撮影方向や画角等の調節を行う。
【０１６０】
ここで、撮像装置２００は、レンズ鏡筒２０２に取り付けられているグリップ部２０３がレンズ鏡筒２０２の前面側に形成されていることから、重心が装置本体２０１側にあり撮影者の肩に載置されている場合でも、グリップ部２０３を用いた角度調節を容易に行うことができる。
【０１６１】
次いで、取っ手部２０８の前方に設けられたファインダーブロック２０９について説明する。図４０に示すように、このファインダーブロック２０９は、装置本体２０１の前面に取り付けられる本体部２１３と、本体部２１３に回転自在に支持された表示部２１４とを有し、全体を略Ｌ字状に形成されている。
【０１６２】
本体部２１３は、略矩形状の筐体を備え、背面側に装置本体２０１に接続される接続部２１５が設けられ、装置本体２０１の左側面２０１ｃ側に外部マイク２１６が装着されるマイクホルダ２１７が設けられている。これら外部マイク２１６及びマイクホルダ２１７は、上述した外部マイク６及びマイクホルダ３４と同一の構成を備えるものであるため、それぞれ詳細は省略する。また本体部２１３は、装置本体２０１の前面２０１ａ側に各種操作を行う操作スイッチや操作ボタン等が配列された操作部２１８が設けられている。
【０１６３】
かかる本体部２１３は、接続ケーブル２１９を介して装置本体２０１と接続されており、レンズ鏡筒２０２から取り込まれた映像データや、記録再生部２１０や補助記録媒体ユニット５にて再生された映像データが供給され、表示部２１４に表示させる。
【０１６４】
また、本体部２１３は、装置本体２０１の右側面２０１ｂ側には表示部２１４が設けられている。図４０に示すように、表示部２１４は、レンズ鏡筒２０２に取り込まれた映像や記録再生部２１０や補助記録媒体ユニット５にて再生された映像データを表示する小型の液晶モニタ２２０が内蔵されたファインダー部材２２１と、ファインダー部材２２１の上面に設けられた液晶表示パネル２２２と、ファインダー部材２２１に着脱自在に設けられ液晶モニタ２２０を視認する接眼部材２２３とを備える。
【０１６５】
ファインダー部材２２１は、本体部２１３に支持されるとともに液晶表示パネル２２２が取り付けられた支持部２２１ａと、接眼部材２２３が接続された接続部２２１ｂとを有する。支持部２２１ａは、略矩形筐体の一側面が本体部２１３に支持され、上面に液晶表示パネル２２２が取り付けられるヒンジ機構２２５と、液晶表示パネル２２２の映像を編集する操作パネル部２２６が形成されている。
【０１６６】
接続部２２１ｂは、全体が接眼部材２２３と略同径の円筒形状を有し、接眼部材２２３と対峙する方向に向けられて接眼部材２２３を介して視認される液晶モニタ２２０が内蔵されている。また接続部２２１ｂは、液晶モニタ２２０が臨まされているベース板２３０に液晶モニタ２２０を挟んで相対向して一対の接続ツメ２３１，２３１が立設されている。接続ツメ２３１は、内向きに凸設された係止凸部２３１ａが形成され、この係止凸部２３１ａが接眼部材２２３の接続孔２４１に係止することによりファインダー部材２２１に接眼部材２２３を接続させるものである。また接続部２２１ｂは、ベース板２３０の周囲に立設されている外周壁２３２に、接続ツメ２３１と対向して接眼部材２２３が挿通される切り欠き部２３３が形成されている。
【０１６７】
かかるファインダー部材２２１は、支持部２２１ａが本体部２１３に上下方向へ回動自在に支持されており、撮影者が必要に応じて回動させることにより接眼部材２２３を最適な方向に向けて使用される。
【０１６８】
接眼部材２２３は、ファインダー部材２２１の接続部２２１ｂに接続される円筒状のホルダ２３５と、ホルダ２３５の内部に取り付けられているレンズボックス２３６と、撮影者が目をつけるアイカップ２３７とを備える。ホルダ２３５は、円筒の内部にフレーム板２３８が形成され、このフレーム板２３８にレンズボックス２３６がネジ止めされている。フレーム板２３８は、主面が開口されてレンズボックス２３６内に収納されたレンズ群２３９が臨まされている。
【０１６９】
ホルダ２３５の外周部には、ファインダー部材２２１の接続部２２１ｂに設けられている接続ツメ２３１，２３１に対応して、一対の接続アーム２４０，２４０が延設されている。接続アーム２４０は、接続部２２１ｂの外周壁２３２に設けられている切り欠き部２３３に嵌合するものであり、先端部に係合孔２４０ａが形成され、この係合孔２４０ａの内側に接続ツメ２３１の係止凸部２３１ａが係止される係止片２４２が係合されている。
【０１７０】
係止片２４２は、略矩形箱状に形成されるとともに、内外方向に離間した一対の側壁２４２ａ、２４２ｂが設けられている。内側壁２４２ａには、接続ツメ２３１の係止凸部２３１ａが係止する接続孔２４１が形成されている。また外側壁２４２ｂには、接続アーム２４０の係合孔２４０ａに係合する凸部２４４が形成されている。この係止片２４２は、図４１及び図４２に示すように、内側壁２４２ａが板バネ２４５によって常時外方に付勢されている。したがって係止片２４２は、接続部２２１ｂに接続されると、内側壁２４２ａの接続孔２４１が接続ツメ２３１の係止凸部２３１ａに押圧され、抜け止めが図られている。なお、板バネ２４５は、ホルダ２３５内に形成された図示しない支持部に支持されることにより、常時係止片２４２を外側に付勢し、接続アーム２４０の係合孔２４０ａと外側壁２４２ｂの凸部２４４とを係合させている。
【０１７１】
またホルダ２３５は、外周の一部にレンズボックス２３６内に収納されたレンズ群２３９のピントを調節するピントレバー２４６が形成されている。レンズボックス２３６は、接続部２２１ｂに設けられている液晶モニタ２２０の表示を拡大して映すものであり、接眼部材２２３がファインダー部材２２１に接続されることにより液晶モニタ２２０と対峙される。
【０１７２】
アイカップ２３７は、ゴム等の弾性部材からなるカップ状をなし、ホルダ２３５の外周上に接合されている。アイカップ２３７は、撮影者の目元周辺まで覆うことによりホルダ２３５内に外光が入射することを防止する。
【０１７３】
ファインダー部材２２１の支持部２２１ａに設けられたヒンジ機構２２５によって支持されている液晶表示パネル２２２は、レンズ鏡筒２０２に取り込んでいる映像や記録再生部２１０や補助記録媒体ユニット５にて再生された映像データを表示するものであり、撮影者が現在取り込んでいる映像を視認しながら撮影し、あるいは撮影された映像を確認するために用いられる。
【０１７４】
この液晶表示パネル２２２は、支持部２２１ａの上面に設けられたヒンジ機構２２５によって回動可能に支持され、撮影者によって最適な角度に調整可能とされることにより、撮影者側のみならず、例えば装置本体２０１の前面２０１ａ側、すなわち被撮影者側に回動させることもできる。これにより被撮影者が、自分がどのように写っているのかを確認することもできる。
【０１７５】
またこの液晶表示パネル２２２に表示される再生映像は、支持部２２１ａに設けられた操作パネル部２２６が操作されることによって、例えばコマ送り、早送り、一時停止その他の各種再生が行われる。
【０１７６】
かかるファインダーブロック２０９は、ファインダー部材２２１と接眼部材２２３とが分離されることにより図４０（ａ）に示すように、接続部２２１ｂに設けられた液晶モニタ２２０が外部に露出される。したがって、例えば接眼部材２２３を用いてレンズ群２３９によって拡大された映像では画角が切れてしまう等の理由から、直に液晶モニタ２２０の映像を視認することもできる。また、アイカップ２３７の形状や材質が異なる接眼部材２２３に付け換えて使用感を向上させることもできる。さらに、接眼部材２２３を取り外すことで、液晶モニタ２２０が直接外部に臨まされることから、この液晶モニタ２２０に付着した塵埃の拭き取り掃除も容易に行うことができる。
【０１７７】
次いで、ファインダー部材２２１と接眼部材２２３との着脱操作について説明する。接眼部材２２３の装着は、ファインダー部材２２１と接眼部材２２３とが分離されている状態から、接眼部材２２３のホルダ２３５に設けられた接続アーム２４０と、ファインダー部材２２１の接続部２２１ｂの外周壁２３２に形成された切り欠き部２３３とを嵌合させるように挿通することにより行う。これにより、接続アーム２４０の内側に係合している係止片２４２の内側壁２４２ａと外側壁２４２ｂとの間に、ベース板２３０より立設されている接続ツメ２３１が挿入され、接続ツメ２３１の先端に形成された係止凸部２３１ａが係止片２４２の内側壁２４２ａに設けられた接続孔２４１に係止する。このとき、係止片２４２は、板バネ２４５の付勢力に対抗して内側に若干撓みながら、接続孔２４１内に係止凸部２３１ａが圧入される。
【０１７８】
これにより接眼部材２２３がファインダー部材２２１に接続される。このときファインダーブロック２０９は、接眼部材２２３のホルダ２３５とファインダー部材２２１の接続部２２１ｂの外周壁２３２とが略面一に連続される。またファインダーブロック２０９は、接続部２２１ｂに設けられた液晶モニタ２２０と接眼部材２２３のレンズボックス２３６のレンズ群２３９とが対峙され、レンズ群２３９を介して液晶モニタ２２０の映像を拡大して視認することができる。
【０１７９】
接眼部材２２３をファインダー部材２２１から取り外すときは、親指と人差し指などで、先ず一対の接続アーム２４０，２４０の各先端を摘み、内側へ押圧する。これにより、板バネ２４５の付勢力に対抗して係止片２４２が内側へ付勢され、内側壁２４２ａの接続孔２４１と接続ツメ２３１の係止凸部２３１ａとの係止が解除される。この状態で、接続アーム２４０を切り欠き部２３３から引き抜くことにより、接続アーム２４０が係止片２４２の内外側壁２４２ａ，２４２ｂ間から引き抜かれ、接眼部材２２３をファインダー部材２２１から分離させることができる。
【０１８０】
このように、ファインダーブロック２０９は、接眼部材２２３のホルダ２３５に相対向した位置に設けられている一対の接合アーム２４０，２４０を同時に押圧して、着脱することから、一方の接合アーム２４０が押圧されたのみでは接続ツメ２３１との接続が解除されず、誤って接眼部材２２３がファインダー部材２２１から外れてしまうことを防止できる。
【０１８１】
またファインダーブロック２０９は、接眼部材２２３の一対の接合アーム２４０，２４０を摘みながら着脱操作を行うことから、アイカップ２３７を手で掴むことになり、接眼部材２２３を確実に保持し、ファインダー部材２２１との着脱を確実に行うことができる。
【０１８２】
次いで、補助記録媒体ユニット５が装着される装置本体２０１の装着部２０６について説明する。図４３〜図４６に示すように、撮像装置２００において、装着部２０６は、装置本体２０１の左側面２０１ｃに、前面２０１ａ側に偏倚した位置に設けられている。この装着部２０６は、図４３に示すように、補助記録媒体ユニット５が装着されていないときは、蓋体２５０によって閉塞されている。そして装着部２０６は、図４６に示すように、蓋体２５０が取り外された後、補助記録媒体ユニット５が装着される。なお、撮像装置２００において用いられる補助記録媒体ユニット５は、上記撮像装置１に装着される補助記録媒体ユニット５と同一のものであるため詳細は省略する。
【０１８３】
図４５に示すように、装着部２０６は、装置本体２０１の左側面２０１ｃに略矩形状に形成された凹面部に形成され、補助記録媒体ユニット５のユニット側端子部１４１が装着される本体側端子部２５１と、ユニット本体１３０の係合片１４３が係合される係合溝部２５２と、係合凸片１４４が係合する係合凹部２５３と、本体側端子部２５１と同一信号線より分岐する外部接続端子２５４と、蓋体２５０がネジ止めされるネジ孔２５５とを備える。
【０１８４】
本体側端子部２５１は、上述した撮像装置１の本端側端子部１６３と同様の構成を備えているため、詳細は省略する。この本体側端子部２５１は、装着部２０６に開口された端子凹部２５６内のやや奥まった位置に形成されている。そして本体側端子部２５１は、ユニット側端子部１４１が装着されると、レンズ鏡筒２０２より取り込まれた映像や音声等の各種データを伝送し、また補助記録媒体ユニット５に対してバッテリパック２０７の電力を駆動電源として供給する。
【０１８５】
また、本体側端子部２５１の下部には、ユニット本体１３０に凸設されている誤装着防止片１４２が挿入される挿入凹部２５７が開口されている。
【０１８６】
ユニット本体１３０の係合片１４３が係合される係合溝部２５２は、上述した撮像装置１の係合溝部１６４と同様の構成を備えているため、詳細は省略する。この係合溝部２５２は、ユニット本体１３０の係合片１４３に応じて装着部２０６内に、幅方向に離間して補助記録媒体ユニット５のスライド方向に亘って２つ形成されている。
【０１８７】
また、各係合溝部２５２は、ユニット本体１３０に形成されたアース端子１６２が挿入されるアース用開口部２５８が形成されている。アース用開口部２５８内には、装置本体２０１内のアースと接続された端子が臨まされており、ユニット本体１３０が装着部２０６に装着されることによりアース端子１６２が挿入し、装置本体２０１のアースと接続される。
【０１８８】
係合凸片１４４が係合する係合凹部２５３は、本体側端子部２５１の隣に形成され、係合凸片１４４が挿入可能な大きさを有する。この係合凹部２５３は、係合凸片１４４が挿入されると、ユニット本体１３０の上方へのスライドを規制し、係合解除レバー１４０が押下されることにより係合凸片１４４がユニット本体１３０内へ退避すると、係合凸片１４４との係合が解除され、ユニット本体１３０のスライドを可能とする。
【０１８９】
本体側端子部１６３と同一信号線より分岐する外部接続端子２５４は、装着部２０６の一部から臨まされ、かつ装着部２０６に装着される補助記録媒体ユニット５の投影面内に設けられている。外部接続端子２５４は、例えばＩＥＥＥ１３９４規格等の周辺機器との接続規格に基づいた接続端子である。この外部接続端子２５４は、図４３に示すように、蓋体２５０に設けられている端子蓋２５９を介して外方に臨まされ、蓋体２５０によって装着部２０６が閉塞されている状態においても使用可能とされている。また、外部接続端子２５４は、未使用時には端子蓋２５９によって閉塞され、塵埃の付着や金属部品との接触による短絡が防止されている。
【０１９０】
ここで、外部接続端子２５４は、ユニット本体１３０の投影面内に形成され、装着部２０６にユニット本体１３０が装着された状態での使用が禁止され、また外部接続端子２５４に外部機器が接続されている状態では、装着部２０６にユニット本体１３０が装着されることが禁止されている。すなわち、外部接続端子２５４は、上述した撮像装置１の本体側端子部１６３及び外部接続端子１６６と同様に、本体側端子部２５１と同時に他の外部機器に接続されることが禁止されている。
【０１９１】
これは、装置本体２と同様に、撮像装置２００においても、本体側端子部２５１と外部接続端子２５４とが同一のバスラインより分岐しているものであることから、同時に異なる周辺機器が接続されると、通信の信頼性が損なわれるおそれがあるためである。
【０１９２】
かかる装着部２０６を閉塞する蓋体２５０は、図４４に示すように、装着部２０６と略同形の板状体をなし、ネジ孔２５５に係合する係合ネジ２６０と、外部接続端子２５４に対応して設けられた端子蓋２５９とを備える。
【０１９３】
この蓋体２５０は、装着部２０６に対峙する裏面に、係合溝部２５２に係合される一対のリブ２６１，２６１が設けられている。蓋体２５０は、リブ２６１が係合溝部２５２に係合されることにより装着部２０６に係合される。またリブ２６１は、ユニット本体１３０の係合片１４３と同様に、上下方向に亘って長尺状に立設されることにより強度が確保されている。したがって、リブ２６１は、蓋体２５０の裏面に立設されることにより周囲と衝突した場合にも、容易に破損することがない。
【０１９４】
係合ネジ２６０は、蓋体２５０を装着部２０６に装着させるものであり、装着部２０６と対向する蓋体２５０の裏面２５０ａに、装着部２０６のネジ孔２５５に対応して係合ネジ２６０のネジ部２６０ａが突出し、蓋体２５０の表面２５０ｂにネジ部２６０ａを回転するツマミ部２６０ｂが臨まされている。
【０１９５】
外部接続端子２５４に対応して設けられた端子蓋２５９は、ゴム等の弾性部材からなり、図示しない連結部材によって一端を蓋体２５０に係止されるとともに、蓋体２５０に開口された端子孔２６２に嵌合されている。端子蓋２５９は、端子孔２６２より取り外されることにより外部接続端子２５４を外方に臨ますことができる。
【０１９６】
かかる装着部２０６は、図４６に示すように、補助記録媒体ユニット５が着脱可能に装着される。この補助記録媒体ユニット５の着脱操作は、上述した撮像装置１の装着部２３への補助記録媒体ユニット５の着脱操作と同様に、ユニット側端子部１４１を本体側端子部２５１に挿入するとともに、係合片１４３を係合溝部２５２に挿入した後、ユニット本体１３０を下方にスライドさせる。これによりユニット端子１５２と本体側端子部２５１の本体端子とが接続され、また係合片１４３の凸部１４３ａが係合溝部２５２に挟持される。またこのとき、ユニット本体１３０の係合凸片１４４が係合凹部２５３に係合し、ユニット本体１３０の上方へのスライドを規制する。
【０１９７】
またユニット本体１３０を装着部２０６から取り外す場合は、係合解除レバー１４０を押下することにより、係合凸片１４４をユニット本体１３０内に退避させ、係合凹部２５３との係合を解除する。これにより、ユニット本体１３０は、装着部２０６を上方にスライド可能とされ、係合片１４３と係合溝部２５２、及びユニット端子１５２と本体側端子部２５１の本体端子との係合を解除した後、装着部２０６から取り外される。
【０１９８】
かかる撮像装置２００は、図４７及び図４８に示すように、装着部２０６が装置本体２０１の左側面２０１ｃの前側に設けられているため、補助記録媒体ユニット５が撮影者と反対側に位置する。また図３７（ｂ）に示すように、装着部２０６は、肩当てパッド２１１とグリップ部２０３との間に設けられ、撮影者の腕と干渉することもない。
【０１９９】
したがって、撮像装置２００は、撮影中においても、撮影アシスタント等によって装着部２０６に対して補助記録媒体ユニット５を着脱することができる。また、撮像装置２００は、撮影中においても、撮影アシスタント等によって装着部２０６に装着されているユニット本体１３０に対して、メモリカード１３１の着脱操作を行うことができる。これにより、撮像装置２００は、メモリカード１３１の容量が不足した場合や、メモリカード１３１に記録したデータを編集に回す場合にも、撮影を中断することなく、メモリカード１３１あるいはユニット本体１３０を交換することができる。
【０２００】
なお、上述したように、補助記録媒体ユニット５は、ユニット側端子部１４１が設けられた支持板１５０が揺動自在に支持されていることから、ユニット本体１３０を装着部２０６へ着脱させる際や、撮影中に装置本体２０１が揺動した場合にも、支持板１５０が揺動することにより振動や衝撃が吸収され、ユニット側端子部１４１と本体側端子部２５１との接続信頼性が確保されている。
【０２０１】
また撮像装置２００は、補助記録媒体としてメモリカード１３１を用いている補助記録媒体ユニット５が装置本体２０１の前面２０１ａ側に装着され、主記録媒体としてテープカートリッジを用いる記録再生部２１０が装置本体２０１の背面２０１ｄ側に設けられている。また、撮像装置２００は、装置本体２０１の前面２０１ａ側に形成されたファインダーブロック２０９の本体部２１３に外部マイク２１６が取り付けられるマイクホルダ２１７が設けられている。
【０２０２】
このように、撮像装置２００は、外部マイク２１６が装置本体２０１の左側面２０１ｃ側に配設されているけれども、記録再生部２１０が外部マイク２１６から離間されているため、記録再生部２１０のデッキ部におけるモータの作動音が外部マイク２１６に集音されることがない。また撮像装置２００は、外部マイク２１６の近傍に補助記録媒体ユニット５が装着されるが、補助記録媒体ユニット５は補助記録媒体としてメモリカード１３１が用いられているため、記録再生時に大きな作動音が発生せず、外部マイク２１６がノイズを集音することもない。
【０２０３】
また、撮像装置２００は、内蔵マイクも装置本体２０１の前面２０１ａ側に内蔵され、記録再生部２１０から離間されているため、記録再生部２１０のデッキ部におけるモータの作動音等を集音してしまうこともない。
【図面の簡単な説明】
【０２０４】
【図１】ハンディタイプの撮像装置を左側面側から示す斜視図である。
【図２】ハンディタイプの撮像装置を右側面側から示す斜視図である。
【図３】ハンディタイプの撮像装置を示す上面図である。
【図４】ハンディタイプの撮像装置を前面側から示す分解斜視図である。
【図５】ハンディタイプの撮像装置を背面側から示す分解斜視図である。
【図６】レンズマウントを示す正面図である。
【図７】予圧部材を示す斜視図である。
【図８】ハンディタイプの撮像装置を把持した様子を模式的に表した図であり、（ａ）は正面図であり、（ｂ）は側面図である。
【図９】シューアダプタの装置本体への装着方向を示す正面図である。
【図１０】シューアダプタ及びシューアダプタに装着されるアクセサリーを示す斜視図であり、（ａ）はアクセサリーの斜視図、（ｂ）はシューアダプタの斜視図、（ｃ）はアクセサリーが装着されたシューアダプタの斜視図、（ｄ）はアクセサリーが装着された装置本体を示す斜視図である。
【図１１】シューアダプタを背面側から示す斜視図である。
【図１２】装置本体に装着されるマットボックスの一例を示す斜視図である。
【図１３】マットボックスを装着すると共に、シューアダプタにアクセサリーを装着した撮像装置を示す側面図である。
【図１４】マイクホルダを示す斜視図である。
【図１５】外部マイクが取り付けられたマイクホルダを示す断面図である。
【図１６】挟持片同士がロックされたマイクホルダを示す斜視図である。
【図１７】外部マイクが背面側に向けて装着された撮像装置を示す斜視図である。
【図１８】レンズフードを示す斜視図である。
【図１９】レンズフードを示す斜視図である。
【図２０】レンズ鏡筒を示す斜視図である。
【図２１】レンズフードが装着されたレンズ鏡筒を示す断面図である。
【図２２】付勢部材によって回動方向に付勢されているレンズ鏡筒の一部を示す断面図である。
【図２３】付勢部材によって回動方向に付勢されているレンズ鏡筒の一部を示す断面図である。
【図２４】付勢部材を示す斜視図である。
【図２５】レンズフードが着脱されるレンズ鏡筒を示す斜視図である。
【図２６】補助記録媒体ユニットを示す斜視図である。
【図２７】メモリカードが挿脱される補助記録媒体ユニットを示す斜視図である。
【図２８】補助記録媒体ユニットを背面側から示す斜視図である。
【図２９】補助記録媒体ユニットの側面図である。
【図３０】ユニット側端子部が設けられた支持板を示す図であり、（ａ）は斜視図、（ｂ）はユニット本体の軸受けに支持された支持板を示す図である。
【図３１】装置本体の装着部を示す斜視図である。
【図３２】外部接続端子が露出された装着部を示す斜視図である。
【図３３】補助記録媒体ユニットが装着された装着部を示す斜視図である。
【図３４】本体側端子部を示す斜視図であり、（ａ）はカバーによって本体端子が閉塞された状態を示し、（ｂ）は本体端子が露出された状態を示す。
【図３５】撮像装置の機能ブロック図である。
【図３６】アダプタに装着される補助記録媒体ユニットを示す図であり、（ａ）はユニット本体とアダプタを示し、（ｂ）はバッテリとアダプタを示し、（ｃ）はユニット本体及びバッテリが装着されたアダプタを示す図である。
【図３７】肩載せタイプの撮像装置の撮影状態を示す図であり、（ａ）は正面図であり、（ｂ）は側面図である。
【図３８】肩載せタイプの撮像装置を前面側から示す分解斜視図である。
【図３９】肩載せタイプの撮像装置を背面側から示す分解斜視図である。
【図４０】ファインダーブロックを示す図であり、（ａ）はファインダー部材と接眼部材が分離された状態を示す斜視図であり、（ｂ）はファインダー部材に接眼部材が接続された状態を示す斜視図である。
【図４１】ファインダー部材と接眼部材とが接続された状態を示す斜視図である。
【図４２】ファインダー部材に接続された接眼部材を示す図であり、（ａ）は正面図であり、（ｂ）は（ａ）におけるＤ−Ｄ断面図である。
【図４３】肩載せタイプの撮像装置において装着部が閉塞された状態を示す斜視図である。
【図４４】装着部を閉塞する蓋体を示す斜視図である。
【図４５】肩載せタイプの撮像装置において装着部が開放された状態を示す斜視図である。
【図４６】肩載せタイプの撮像装置において装着部に補助記録媒体ユニットが装着された状態を示す斜視図である。
【図４７】肩載せタイプの撮像装置において装着部に補助記録媒体ユニットが装着された状態を示す側面図である。
【図４８】肩載せタイプの撮像装置において装着部に補助記録媒体ユニットが装着された状態を示す上面図である。
【符号の説明】
【０２０５】
１  撮像装置、２  装置本体、３  レンズ鏡筒、４  バッテリパック、５  補助記録媒体ユニット、６  外部マイク、７  シューアダプタ、９  レンズフード、１０  レンズマウント、１１  マウントリング、２０  記録再生部、２２  バッテリ収納部、２３  装着部、２５  開口部、３０  取っ手部、３１  台座部、３２  液晶表示パネル、３３  シュー取付部、３４  マイクホルダ、３５  ファインダー部、４０  フード装着部、４１  ボディマウント、４２  グリップ部、５５  アクセサリーシュー、５８  ガイドレール、６１  レシーバ、７０  マットボックス、７５  偏光フィルタ、７８  マイク端子、８２  ヒンジ手段、８３  連結部材、８５  ロック機構、９０  弾性シート、９１  弾性凸部、１００  係合部、１０３  開閉機構、１１０  フードマウント、１１１〜１１４  ガイド壁、１１５  ガイド凹部、１１６  ガイド溝、１２０  付勢部材、１２１  係合壁、１２２  端面、１２４  係合解除ボタン、１３０  ユニット本体、１３１  メモリカード、１３２  蓋体、１３４  係止片、１３５  ロック解除レバー、１４０  係合解除レバー、１４１  ユニット側端子部、１４２  誤装着防止片、１４３  係合片、１４４  係合凸片、１５０  支持板、１５２  ユニット端子、１５４  嵌合凸部、１６０  軸受け部、１６３  本体側端子部、１６４  係合溝部、１６６  外部出力端子、１７４  本体端子、１７５  カバー、１８０  端子蓋、１８１  ＩＥＥＥ１３９４インタフェース、１８２  バスライン、１８３  システムコントローラ、１９０  アダプタ、２００  撮像装置、２０１  装置本体、２０２  レンズ鏡筒、２０３  グリップ部、２０６  装着部、２０８  取っ手部、２０９  ファインダーブロック、２１０  記録再生部、２１１  肩当てパッド、２１３  本体部、２１４  表示部、２１５  接続部、２２０  液晶モニタ、２２１  ファインダー部材、２２２  液晶表示パネル、２２３  接眼部材、２３０  ベース板、２３１  接続ツメ、２３５  ホルダ、２３７  アイカップ、２４０  接続アーム、２４２  係止片、２４５  板バネ、２５０  蓋体、２５９  端子蓋
【図１】
0004428428.tif 000002
【図２】
0004428428.tif 000003
【図３】
0004428428.tif 000004
【図４】
0004428428.tif 000005
【図５】
0004428428.tif 000006
【図６】
0004428428.tif 000007
【図７】
0004428428.tif 000008
【図８】
0004428428.tif 000009
【図９】
0004428428.tif 000010
【図１０】
0004428428.tif 000011
【図１１】
0004428428.tif 000012
【図１２】
0004428428.tif 000013
【図１３】
0004428428.tif 000014
【図１４】
0004428428.tif 000015
【図１５】
0004428428.tif 000016
【図１６】
0004428428.tif 000017
【図１７】
0004428428.tif 000018
【図１８】
0004428428.tif 000019
【図１９】
0004428428.tif 000020
【図２０】
0004428428.tif 000021
【図２１】
0004428428.tif 000022
【図２２】
0004428428.tif 000023
【図２３】
0004428428.tif 000024
【図２４】
0004428428.tif 000025
【図２５】
0004428428.tif 000026
【図２６】
0004428428.tif 000027
【図２７】
0004428428.tif 000028
【図２８】
0004428428.tif 000029
【図２９】
0004428428.tif 000030
【図３０】
0004428428.tif 000031
【図３１】
0004428428.tif 000032
【図３２】
0004428428.tif 000033
【図３３】
0004428428.tif 000034
【図３４】
0004428428.tif 000035
【図３５】
0004428428.tif 000036
【図３６】
0004428428.tif 000037
【図３７】
0004428428.tif 000038
【図３８】
0004428428.tif 000039
【図３９】
0004428428.tif 000040
【図４０】
0004428428.tif 000041
【図４１】
0004428428.tif 000042
【図４２】
0004428428.tif 000043
【図４３】
0004428428.tif 000044
【図４４】
0004428428.tif 000045
【図４５】
0004428428.tif 000046
【図４６】
0004428428.tif 000047
【図４７】
0004428428.tif 000048
【図４８】
0004428428.tif 000049